(57)【要約】  本発明は、センサネットワーク、機器間の通信(Ｍ２Ｍ)、ＭＴＣ(Ｍａｃｈｉｎｅ  Ｔｙｐｅ  Ｃｏｍｍｕｎｉｃａｔｉｏｎ)、及びＩｏＴのための技術に関する。  本発明は、上記技術に基づいた知能型サービス(例えば、スマートホーム、スマートビルディング、スマートシティ、スマートカー又はコネクテッドカー、ヘルスケア、デジタル教育、小売業、セキュリティ及び安全関連サービス)に活用することができる。本発明の一実施形態によるユーザー端末は、ユーザー端末の移動経路に基づいて以前動線情報を生成し、生成した以前動線情報をサーバに送信し、送信した以前動線情報に基づいて生成された新規動線情報をサーバから受信する。
2019503134.tif 000002
【特許請求の範囲】
【請求項１】
ユーザー端末により以前動線情報に基づいて生成された新規動線情報を受信する方法であって、
前記ユーザー端末の移動経路に基づいて以前動線情報を生成するステップと、
前記生成された以前動線情報をサーバに送信するステップと、
前記送信された以前動線情報に基づいて生成された前記新規動線情報を前記サーバから受信するステップと、
を有することを特徴とする方法。
【請求項２】
前記以前動線情報を生成するステップは、
前記ユーザー端末の移動経路内に設置される少なくとも一つの信号発生器から少なくとも一つの無線通信信号を受信するステップと、
前記受信された少なくとも一つの無線通信信号の各々から識別子(ＩＤ)を抽出し、前記抽出した各ＩＤと前記抽出した各ＩＤに対応する無線通信信号を受信した時間情報に基づいて前記以前動線情報を生成するステップと、
を有することを特徴とする請求項１に記載の方法。
【請求項３】
前記以前動線情報として前記ユーザー端末のユーザーに関連した情報を前記サーバに伝送するステップをさらに有し、
前記ユーザーに関連した情報は、前記ユーザーの移動経路情報、前記ユーザーの各領域での滞在時間情報、前記ユーザーの識別情報、個人情報、権限情報、及び前記各領域と関連した履歴情報のうち少なくとも一つを含むことを特徴とする請求項１に記載の方法。
【請求項４】
前記以前動線情報を生成するステップは、
前記ユーザー端末の移動経路内に設置された少なくとも一つの信号発生器から少なくとも一つの無線通信信号を受信するステップと、
前記受信された少なくとも一つの無線通信信号の各々からＩＤを抽出し、前記抽出された各ＩＤが予め格納されたカテゴリ情報に対応するＩＤであるか否かを判定するステップと、
前記抽出された各ＩＤが前記予め格納されたカテゴリ情報に対応するＩＤである場合、前記抽出された各ＩＤと前記抽出された各ＩＤに対応する無線通信信号を受信した時間情報に基づいて前記以前動線情報を生成するステップと、
を有することを特徴とする請求項１に記載の方法。
【請求項５】
前記以前動線情報を生成するステップは、
前記ユーザー端末の移動経路内に設置された少なくとも一つの信号発生器から少なくとも一つの無線通信信号を受信するステップと、
前記受信された少なくとも一つの無線通信信号の受信信号強度を測定するステップと、
前記測定された受信信号強度が予め設定された受信信号強度以上である無線通信信号のＩＤを抽出するステップと、
前記抽出されたＩＤと前記抽出されたＩＤに対応する無線通信信号を受信した時間情報に基づいて前記以前動線情報を生成するステップと、
を有することを特徴とする請求項１に記載の方法。
【請求項６】
サーバにより以前動線情報に基づいて新規動線情報を送信する方法であって、
ユーザー端末から前記ユーザー端末の移動経路に基づいて生成された以前動線情報を受信するステップと、
前記受信された以前動線情報に基づいて前記新規動線情報を生成するステップと、
前記生成された新規動線情報を前記ユーザー端末に送信するステップと、
を有することを特徴とする方法。
【請求項７】
前記以前動線情報は、前記ユーザー端末により、前記ユーザー端末の移動経路内に設置された少なくとも一つの信号発生器から受信した少なくとも一つの無線通信信号の各々から抽出された識別子(ＩＤ)と、前記抽出された各ＩＤに対応する無線通信信号を受信した時間情報を含むことを特徴とする請求項６に記載の方法。
【請求項８】
前記抽出された各ＩＤは前記ユーザー端末により決定された予め格納されたカテゴリ情報に対応することを特徴とする請求項７に記載の方法。
【請求項９】
前記抽出された各ＩＤは、前記ユーザー端末により測定された受信信号強度が予め設定された受信信号強度以上である無線通信信号のＩＤであることを特徴とする請求項７に記載の方法。
【請求項１０】
前記新規動線情報を生成するステップは、
前記受信した以前動線情報に基づき、前記ユーザー端末の移動経路と前記ユーザー端末の移動経路に含まれる各領域での滞在時間を検出するステップと、
前記検出されたユーザー端末の移動経路と各領域での滞在時間に基づき、前記ユーザー端末が訪問しない領域のうち追加訪問する領域を含む新規動線情報を生成するステップと、
を有することを特徴とする請求項６に記載の方法。
【請求項１１】
前記ユーザー端末から前記以前動線情報として前記ユーザー端末のユーザーに関連した情報を受信するステップをさらに有し、
前記ユーザーに関連した情報は、前記ユーザーの移動経路情報、前記ユーザーの各領域での滞在時間情報、前記ユーザーの識別情報、個人情報、権限情報、及び前記各領域に関連した履歴情報のうち少なくとも一つを含むことを特徴とする請求項６に記載の方法。
【請求項１２】
ユーザー端末の移動経路に基づいて以前動線情報を生成する制御部と、
前記生成された以前動線情報をサーバに送信する送信部と、
前記送信された以前動線情報に基づいて生成された新規動線情報を前記サーバから受信する受信部と、
を含むことを特徴とするユーザー端末。
【請求項１３】
以前動線情報に基づいて生成された新規動線情報を受信するユーザー端末であって、請求項２乃至５のいずれか１項に記載の方法を実行することを特徴とするユーザー端末。
【請求項１４】
ユーザー端末から前記ユーザー端末の移動経路に基づいて生成された以前動線情報を受信する受信部と、
前記受信された以前動線情報に基づいて新規動線情報を生成する制御部と、
前記生成された新規動線情報を前記ユーザー端末に送信する送信部と、
を含むことを特徴とするサーバ。
【請求項１５】
以前動線情報に基づいて生成された新規動線情報を送信するサーバであって、請求項７乃至１１のいずれか１項に記載の方法を実行することを特徴とするサーバ。
【発明の詳細な説明】
【技術分野】
【０００１】
本発明は以前動線情報に基づいて新規動線情報を生成する方法及び装置に関する。
【背景技術】
【０００２】
インターネットは、人間が情報を生成し消費する人間中心の接続網から、事物（モノ）など分散された構成要素間に情報をやりとりして処理するモノインターネット(ＩｏＴ)ネットワークへと進化している。ＩｏＥ(Ｉｎｔｅｒｎｅｔ  ｏｆ  Ｅｖｅｒｙｔｈｉｎｇ)技術は、クラウドサーバとの接続を通じるビッグデータ処理技術などがＩｏＴ技術に結合された一例である。
【０００３】
ＩｏＴを実現するために、センシング技術、有線及び／又は無線通信、ネットワークインフラ、サービスインターフェース技術、及びセキュリティ技術のような技術要素が要求され、最近では事物間の接続のためのセンサネットワーク、Ｍ２Ｍ(Ｍａｃｈｉｎｅ  ｔｏ  Ｍａｃｈｉｎｅ)、ＭＴＣ(Ｍａｃｈｉｎｅ  Ｔｙｐｅ  Ｃｏｍｍｕｎｉｃａｔｉｏｎ)などの技術が研究されている。
【０００４】
ＩｏＴ環境では、接続されたモノから生成されたデータを収集及び分析して生きている人間に新たな価値を創出する知能型ＩＴ(Ｉｎｔｅｒｎｅｔ  Ｔｅｃｈｎｏｌｏｇｙ)サービスが提供できる。ＩｏＴは、従来のＩＴ技術と多様な産業との間の融合及び複合を通じてスマートホーム、スマートビルディング、スマートシティ、スマートカー又はコネクテッドカー、スマートグリッド、ヘルスケア、スマート家電、及び先端医療サービスなどの分野に応用可能である。
【０００５】
一方、スマートフォンの使用が大衆化されており、このようなスマートフォン等のモバイル機器を介してユーザーの動線(ｍｏｖｉｎｇ  ｌｉｎｅ)情報の獲得が可能となり、小売業領域ではユーザー動線情報を用いた多様なサービス提供に対する試みが持続的に行われてきた。しかしながら、ユーザーの意思に関係なく、ユーザーの位置が追跡されることは、ユーザーに拒否感を起こす可能性があり、それによってユーザー動線情報は多様なサービスに適用しにくいという問題があった。
【０００６】
そのため、ユーザーの意思に従ってユーザー動線情報を提供し、このような動線情報を用いて多様なサービスを提供する方案が要求される。
【発明の概要】
【発明が解決しようとする課題】
【０００７】
したがって、上記した従来技術による問題点を解決するために、本発明の目的は、以前動線情報に基づいて新規動線情報を生成する方法及び装置を提供することにある。
【０００８】
本発明の他の目的は、ユーザー端末の要請により新規動線情報を生成する方法及び装置を提供することにある。
【０００９】
さらに、本発明の目的は、ユーザー端末を有するユーザーに関連した情報を考慮して新規動線情報を生成する方法及び装置を提供することにある。
【課題を解決するための手段】
【００１０】
上記のような目的を達成するために、本発明の一態様によれば、ユーザー端末により以前動線情報に基づいて生成された新規動線情報を受信する方法が提供される。その方法は、ユーザー端末の移動経路に基づいて以前動線情報を生成するステップと、生成された以前動線情報をサーバに送信するステップと、送信された以前動線情報に基づいて生成された新規動線情報をサーバから受信するステップとを有する。
【００１１】
本発明の他の態様によれば、サーバにより以前動線情報に基づいて新規動線情報を送信する方法が提供される。その方法は、ユーザー端末からユーザー端末の移動経路に基づいて生成された以前動線情報を受信するステップと、受信された以前動線情報に基づいて新規動線情報を生成するステップと、生成された新規動線情報をユーザー端末に送信するステップとを有する。
【００１２】
また、本発明の他の態様によれば、ユーザー端末の移動経路に基づいて以前動線情報を生成する制御部と、生成された以前動線情報をサーバに送信する送信部と、送信された以前動線情報に基づいて生成された新規動線情報をサーバから受信する受信部とを含むユーザー端末が提供される。
【００１３】
さらに、本発明の他の態様によれば、ユーザー端末からユーザー端末の移動経路に基づいて生成された以前動線情報を受信する受信部と、受信された以前動線情報に基づいて新規動線情報を生成する制御部と、生成された新規動線情報をユーザー端末に送信する送信部とを含むサーバが提供される。
【発明の効果】
【００１４】
本発明は、以前動線情報に基づいて新規動線情報を生成する効果を有する。
【００１５】
本発明は、ユーザー端末の要請により新規動線情報を生成する効果も有する。
【００１６】
さらに、本発明は、ユーザー端末を有するユーザーに関連した情報を考慮して新規動線情報を生成する効果がある。
【００１７】
本発明の他の態様、利点、及び顕著な特徴は、添付の図面及び本発明の実施形態からなされた以下の詳細な説明から、この分野の当業者に明確になるはずである。
【図面の簡単な説明】
【００１８】
【図１】本発明の一実施形態による以前動線情報に基づいて新規動線情報を生成する一例を示す図である。
【図２】本発明の一実施形態による以前動線情報に基づいて新規動線情報を生成する他の例を示す図である。
【図３】本発明の他の実施形態による以前動線情報に基づいて新規動線情報を生成する一例を示す図である。
【図４】本発明のもう一つの実施形態による以前動線情報に基づいて新規動線情報を生成する一例を示す図である。
【図５】本発明の一実施形態による新規動線情報の提供システムでユーザー端末が受信するビーコン信号の構成を示す図である。
【図６】本発明の一実施形態による以前動線情報に基づいて生成された新規動線情報を提供するためのプロセスを示す信号フロー図である。
【図７】本発明の一実施形態により、ユーザー端末によりサーバから以前動線情報に基づいて生成された新規動線情報を受信する一例を示すフローチャートである。
【図８】本発明の一実施形態により、サーバによりユーザー端末の以前動線情報に基づいて新規動線情報を生成してユーザー端末に提供する一例を示すフローチャートである。
【図９】本発明の他の実施形態による以前動線情報に基づいて生成された新規動線情報を提供するためのプロセスを示す信号フロー図である。
【図１０】本発明の他の実施形態により、ユーザー端末によりサーバから以前動線情報に基づいて生成された新規動線情報を受信する一例を示すフローチャートである。
【図１１】本発明の一実施形態によるユーザー端末を示すブロック構成図である。
【図１２】本発明の一実施形態によるサーバを示すブロック構成図である。
【発明を実施するための形態】
【００１９】
以下、本発明の望ましい実施形態を添付の図面を参照して詳細に説明する。
【００２０】
図面において、類似参照番号は同一あるいは類似したエレメントと、特徴及び構成を示すために使用されることに留意しなければならない。
【００２１】
本発明の多様な実施形態によると、電子デバイスは、スマートフォン、パーソナルコンピュータ(ＰＣ)、携帯電話、テレビ電話、電子書籍リーダ、デスクトップＰＣ、ラップトップＰＣ、ネットブックＰＣ、ＰＤＡ(Ｐｅｒｓｏｎａｌ  Ｄｉｇｉｔａｌ  Ａｓｓｉｓｔａｎｔ)、ＰＭＰ(Ｐｏｒｔａｂｌｅ  Ｍｕｌｔｉｍｅｄｉａ  Ｐｌａｙｅｒ)、ＭＰ３プレーヤー、モバイル医療デバイス、カメラ、ウェアラブルデバイス(例えば、ＨＭＤ(Ｈｅａｄ-Ｍｏｕｎｔｅｄ  Ｄｅｖｉｃｅ)、電気衣類、電子サスペンダー、電子ネックレス、電子アプセサリ、電子タトゥー、又はスマート時計)であってもよい。
【００２２】
本発明の実施形態によると、電子デバイスは、通信機能を有するスマート家電であってもよい。スマート家電は、例えばテレビジョン、ＤＶＤ(Digital  Video  Disk)プレーヤー、オーディオ、冷蔵庫、エアコン、電気掃除機、オーブン、電子レンジ、洗濯機、ドライヤー、空気清浄器、セットトップボックス、ＴＶボックス(例えば、Ｓａｍｓｕｎｇ  ＨｏｍｅＳｙｎｃ(登録商標)、Ａｐｐｌｅ  ＴＶ(登録商標)、又はＧｏｏｇｌｅ  ＴＶ(登録商標))、ゲーム機、電子辞書、電子キー、カムコーダ、電子ピクチャーフレームであってもよい。
【００２３】
本発明の実施形態によると、電子デバイスは、医療機器(例えば、ＭＲＡ(Ｍａｇｎｅｔｉｃ  Ｒｅｓｏｎａｎｃｅ  Ａｎｇｉｏｇｒａｐｈｙ)装置、ＭＲＩ(Ｍａｇｎｅｔｉｃ  Ｒｅｓｏｎａｎｃｅ  Ｉｍａｇｉｎｇ)装置、ＣＴ(Ｃｏｍｐｕｔｅｄ  Ｔｏｍｏｇｒａｐｈｙ)機器、映像機器、又は超音波装置)、ナビゲーション機器、ＧＰＳ(Ｇｌｏｂａｌ  Ｐｏｓｉｔｉｏｎｉｎｇ  Ｓｙｓｔｅｍ)受信器、イベントデータレコーダ(Ｅｖｅｎｔ  Ｄａｔａ  Ｒｅｃｏｒｄｅｒ：ＥＤＲ)、フライトデータレコーダ(Ｆｌｉｇｈｔ  Ｄａｔａ  Ｒｅｃｏｒｄｅｒ：ＦＤＲ)、自動車用インフォテインメント装置、海軍電子装置(例えば、海軍ナビゲーション装置、ジャイロスコープ、又はコンパス)、航空電子機器、セキュリティ機器、産業又は個人用ロボットであってもよい。
【００２４】
本発明の実施形態によると、電子デバイスは、通信機能を有する家具、ビル/構造の一部、電子ボード、電子署名受信器、プロジェクタ、多様な測定装置(例えば、水、電気、ガス、又は電磁波測定装置)であってもよい。
【００２５】
本発明の実施形態によると、電子デバイスは、上記した装置の組合せでありうる。さらに、本発明の実施形態による電子デバイスは、上記装置に制限されるものではないことは、当該技術分野における通常の知識を持つ者には明らかである。
【００２６】
図１は、本発明の一実施形態による以前動線情報に基づいて新規動線情報を生成する一例を示す。図１を参照すると、衣服を購入しようとする顧客がショッピングモールを訪ねてショッピング中であるというシナリオを仮定し、顧客の移動経路は売場Ｃ１０２→売場Ｂ１０４→売場Ａ１０６であると仮定する。また、各売場内には顧客が売場を訪問するか否かを判定するために使用される信号を伝送する信号発生器が設置されており、インフォメーションデスク１０８に顧客の移動経路に基づいて新規動線を生成して提供するサーバが設置されていると仮定する。信号発生器は、用途に従って低周波から高い無線周波数に達するまで連続した周波数を発生させるか、固定した単一周波数を発生させる多様なタイプがあり、Ｗｉ-Ｆｉ(ｗｉｒｅｌｅｓｓ  ｆｉｄｅｌｉｔｙ)通信、生命工学(ＢＴ)通信、Ｚｉｇｂｅｅ通信、Ｚ-Ｗａｖｅ通信、赤外線(ＩＲ)通信、ＶＬＣ(Ｖｉｓｉｂｌｅ  Ｌｉｇｈｔ  Ｃｏｍｍｕｎｉｃａｔｉｏｎ)通信、セルラー通信などの通信に活用される。さらに、信号発生器は、代表的な形態として商品に内蔵された形態、別途付着された形態、ＥＳＬ(Ｅｌｅｃｔｒｉｃ  Ｓｈｅｌｆ  Ｌａｂｅｌ)形態などがあるが、これに限定されるものではない。本発明の実施形態において、信号発生器は、周期的に発生される無線通信信号、例えばビーコン信号を伝送し、ビーコン信号は受信信号強度によって特定領域に対する近接程度を判定するのに使用される。このようなビーコン信号を伝送する信号発生器は、低電力の消耗でバッテリー動作が可能であり、別途の電源構成が不要であり、コインサイズの小型に製造が可能なので、室内外の多様な環境で容易に構成できる。さらに、ビーコン信号による誤差は５ｃｍで精密な測定が可能であり、ビーコン信号は、出力設定に従って５０ｍまで到達可能なので、日常生活の周辺環境に容易に構成することができる。
【００２７】
ショッピングモールに訪ねた顧客は売場Ｃ１０２を訪問し、顧客が携帯した電子デバイス、例えばスマートフォン、タブレットＰＣ、ウェアラブルデバイスは売場Ｃ１０２に設置された信号発生器Ｃから伝送されるビーコン信号Ｃを受信する。後述する本発明の実施形態では、顧客により携帯される電子デバイスをユーザー端末と称することにする。ユーザー端末は、受信されたビーコン信号Ｃからビーコン識別子(ＩＤ)を抽出し、抽出したビーコンＩＤとビーコン信号Ｃが受信される時間に関連した情報、例えば２０１５年１１月７日午後２時(１４：００)を格納する。
【００２８】
以後、顧客は売場Ｂ１０４を訪問し、ユーザー端末は、売場Ｂ１０４に設置された信号発生器Ｂから伝送されるビーコン信号Ｂを受信する。ユーザー端末は、受信されたビーコン信号ＢからビーコンＩＤを抽出し、抽出したビーコンＩＤとビーコン信号Ｂが受信される時間に関する情報、例えば２０１５年１１月７日午後２時１５分(１４：１５）を格納する。
【００２９】
最後に、顧客は売場Ａ１０６を訪問し、ユーザー端末は、売場Ａ１０６に設置された信号発生器Ａから伝送されるビーコン信号Ａを受信する。ユーザー端末は、受信されたビーコン信号ＡからビーコンＩＤを抽出し、抽出したビーコンＩＤとビーコン信号Ａが受信される時間に関連した情報、例えば２０１５年１１月７日午後２時４５分(１４：４５）を格納する。
【００３０】
ここで、ユーザー端末が受信されたビーコン信号からビーコンＩＤを抽出し、抽出したビーコンＩＤとビーコン信号が受信される受信時間情報をユーザー端末内の格納部に格納する構成を一例として説明した。しかしながら、ユーザー端末は、ビーコン信号の受信信号強度を測定し、測定した受信信号強度がユーザーにより予め設定された受信信号強度以上である場合にのみ、ビーコン信号のＩＤを抽出して格納することができる。あるいは、ユーザー端末は、抽出されたビーコンＩＤがユーザーにより予め設定されたカテゴリ情報と一致する場合にのみ格納することができる。例えば、ショッピングモールを訪問した顧客は、衣服購入のために衣類売場のみを見回すはずなので、ユーザー端末のカテゴリ情報を衣類売場として予め設定できる。この場合、ユーザー端末は、抽出されたビーコンＩＤが衣類売場を識別する場合にのみ抽出されたビーコンＩＤを格納する。このとき、ユーザー端末のカテゴリ情報は、例えばユーザー端末に設置された動線の推薦に関連したアプリケーションにより設定されうる。
【００３１】
売場Ｃ、Ｂ、Ａ  １０２、１０４、１０６を見回した顧客は、希望する衣服購入のために一層効率的にショッピング可能な新規動線情報を受信しようとする場合、ユーザー端末に格納された自身の動線情報をインフォメーションデスク１０８に設置されたサーバに伝送する。すなわち、ユーザー端末は、予め格納されたビーコンＩＤとビーコンＩＤを含むビーコン信号の受信時間情報をサーバに伝送する。このとき、ユーザー端末は、このような情報以外にユーザー情報をさらに伝送することができる。ここで、ユーザー情報は、例えば顧客ＩＤ、顧客のメンバーシップ(顧客等級など)情報、顧客が保有したクーポン情報、顧客の以前購買履歴などでありうる。
【００３２】
さらに、ユーザー端末は、予め格納されたビーコンＩＤとビーコンＩＤを含むビーコン信号が受信される受信時間情報を伝送するとき、自身が所望するカテゴリを指定し、指定したカテゴリに含まれるビーコンＩＤとビーコンＩＤを含むビーコン信号の受信時間情報のみを選択的にサーバに伝送する。図１は、衣服を購入しようとする顧客がショッピングモールを訪問してショッピング中であるというシナリオを仮定するので、ユーザー端末は、予め格納されたビーコンＩＤとビーコンＩＤを含むビーコン信号の受信時間情報のうち衣服に関連したビーコンＩＤとビーコンＩＤを含むビーコン信号の受信時間情報のみをサーバに伝送できる。
【００３３】
ユーザー端末から顧客の以前動線情報、すなわちビーコンＩＤとビーコンＩＤを含むビーコン信号の受信時間情報を受信すると、サーバは、ビーコンＩＤに含まれた情報に基づいて顧客が所望する売場及び商品を検出し、ビーコン信号の受信時間情報に基づいて顧客の移動経路及び各売場別滞在時間を検出する。
【００３４】
ユーザーの移動経路及び各売場での滞在時間を検出したサーバは、顧客の効率的なショッピングのために提供する新規動線を生成し、生成された新規動線をユーザー端末を通じて顧客に提供する。サーバは、基本的に顧客が訪問しない売場のうち衣服購入のために追加的に訪問しなければならない売場を顧客が効率的に見回すことができるように新規動線を生成する。図１では、セールイベントを進行している売場Ｄ１１０と顧客が保有したクーポンが適用される売場Ｅ１１２と人気売場である売場Ｆ１１４の順序で顧客が訪問するように新規動線を生成し、生成された新規動線をユーザー端末を通じて顧客に提供する。このとき、サーバは、生成された新規動線に含まれる売場Ｄ、Ｅ、Ｆ  １１０、１１２、１１４に関するセール情報、売場Ｄ、Ｅ、Ｆ  １１０、１１２、１１４で使用可能なクーポン情報などを新規動線と共に顧客に提供できる。
【００３５】
もう一つの例において、サーバは、ユーザー端末により伝送されるユーザー情報、例えばユーザーの以前購買履歴を追加的に考慮して新規動線を生成することができる。すなわち、サーバは、顧客が以前に商品を購入した売場又は以前に購入した商品に類似した商品群を有する売場を中心として見回すように新規動線を生成できる。
【００３６】
他の例において、サーバは、ユーザー端末により伝送されるユーザー情報、例えばユーザーのメンバーシップ情報及び保有したクーポンをさらに考慮して新規動線を生成することができる。すなわち、サーバは、ユーザーが保有したクーポンの使用が可能な売場又はユーザーと同一の顧客等級の他のユーザーにより衣服の購入時に多く訪問した売場を中心として見回すことができるように新規動線を生成できる。
【００３７】
もう一つの例では、顧客のスケジュールにより短時間で衣服を購入しなければならない場合、サーバは、顧客が最少の時間をかけて買い物を終えるように移動距離を考慮した新規動線を生成できる。
【００３８】
さらに、サーバは、特定一つの新規動線を生成してユーザー端末を通じて顧客に提供することもでき、異なるパラメータを考慮して生成された複数の新規動線を顧客に提供して顧客が所望する動線を選択することができる。
【００３９】
図１では、ショッピングモールを訪問して買い物中である顧客がショッピングモールを訪問した時点から現在までに関する以前動線情報をサーバに伝送し、サーバは、受信された動線情報に基づいて顧客の効率的なショッピングのための新規動線を生成して推薦する動作を一例として説明した。しかしながら、ショッピングモールを訪問した顧客がショッピングを始める前に最近該当ショッピングモールを訪問したときの動線情報をサーバに伝送し、サーバから以前動線情報に基づいて生成された新規動線を受信できる。この場合、サーバは、以前訪問時の購買履歴などを考慮して購買履歴が存在する再訪問顧客にはクーポン情報、割引情報などを追加的に提供することができる。
【００４０】
図２は、本発明の一実施形態による以前動線情報に基づいて新規動線情報を生成する他の例を示す。図２を参照すると、衣服を購入しようとする顧客がショッピングモールを訪問してショッピング中であるというシナリオを仮定し、ショッピングモールは、例えば衣類売場Ａ２０２、Ｂ２０４、Ｄ２０８、履物売場Ｃ２０６、及びインフォメーションデスク２１０を含むと仮定する。さらに、各売場内には顧客が携帯するユーザー端末、例えばスマートフォン、タブレットＰＣ、ウェアラブルデバイスなどの売場訪問有無を検出するために使用される信号を伝送する信号発生器が設置されており、インフォメーションデスク２１０には顧客に新規動線を生成して提供するためのサーバ２１２が設置されていると仮定する。
【００４１】
ユーザーが衣類売場Ａ２０２を訪問した場合、ユーザー端末は、衣類売場Ａ２０２に設置された信号発生器から転送されるビーコン信号Ａを受信する。ビーコン信号は、例えばプリアンブル領域、アクセスアドレス領域、プロトコルデータユニット(ＰＤＵ)領域、及び巡回冗長検査(ＣＲＣ)領域などを含むことができる。ビーコン信号については、後述する図５を参照して詳細に説明する。
【００４２】
ユーザー端末は、受信されたビーコン信号ＡからビーコンＩＤを抽出し、抽出されたビーコンＩＤとビーコン信号Ａが受信される時間に関する情報を格納する。ここで、ビーコン信号から抽出されたビーコンＩＤは、例えばショッピングモール識別のための汎用固有識別子(ＵＵＩＤ)、メジャー(ｍａｊｏｒ)ＩＤ、及びマイナー(ｍｉｎｏｒ)ＩＤなどを含むことができる。
【００４３】
ユーザーが衣類売場Ａ２０２を訪問した後に衣類売場Ｂ２０４を訪問する場合、ユーザー端末は、衣類売場Ｂ２０４に設置された信号発生器から伝送されるビーコン信号Ｂを受信する。ユーザー端末は、受信されたビーコン信号ＢからビーコンＩＤを抽出し、抽出されたビーコンＩＤとビーコン信号Ｂが受信される時間に関する情報を格納する。
【００４４】
ユーザーが衣類売場Ｂ２０４を訪問した後に衣類売場Ｄ２０８を訪問した場合、ユーザー端末は、衣類売場Ｄ２０８に設置された信号発生器から伝送されるビーコン信号Ｄを受信する。ユーザー端末は、受信されたビーコン信号ＤからビーコンＩＤを抽出し、抽出されたビーコンＩＤとビーコン信号Ｄが受信される時間に関連した情報を格納する。
【００４５】
図２では、ユーザー端末が衣類売場Ａ２０２→衣類売場Ｂ２０４→衣類売場Ｄ２０８の経路に移動するシナリオを仮定する。したがって、ユーザー端末は、ユーザーが訪問せずに行き過ぎた履物売場Ｃ２０６に設置された信号発生器から伝送されるビーコン信号Ｃを受信しない。
【００４６】
ここで、ユーザー端末が受信されたビーコン信号からビーコンＩＤを抽出し、抽出されたビーコンＩＤとビーコン信号が受信される受信時間情報をユーザー端末内の格納部に格納する構成を一例として説明する。しかしながら、ユーザー端末は、ビーコン信号の受信信号強度を測定し、測定した受信信号強度が予め設定された受信信号強度以上である場合にのみビーコン信号のビーコンＩＤを抽出して格納することができる。あるいは、ユーザー端末は、抽出されたビーコンＩＤが予め設定されたカテゴリ情報と一致する場合にのみ格納可能である。例えば、ショッピングモールを訪問した顧客は、衣服購入のために衣類売場のみを見回すので、ユーザー端末のカテゴリ情報を衣類売場に予め設定する。この場合、ユーザー端末は、抽出されたビーコンＩＤが衣類売場を識別する場合にのみ抽出されたビーコンＩＤを格納する。ここで、ユーザー端末のカテゴリ情報は、例えばユーザー端末に設置された動線推薦に関連したアプリケーションにより設定することができる。
【００４７】
衣類売場Ａ２０２→衣類売場Ｂ２０４→衣類売場Ｄ２０８の経路で移動したユーザー端末は、以後効率的なショッピング情報をユーザーに提供するためにインフォメーションデスク２１０に設置されたサーバ２１２に新規動線情報を要請できる。すなわち、ユーザー端末は、設置されたアプリケーションを通じて格納部に格納された以前動線情報をサーバ２１２に伝送することによってサーバ２１２に新規動線情報を要請できる。ここで、格納部に格納された以前動線情報は、各衣類売場の訪問時に受信されたビーコン信号から抽出されたビーコンＩＤとビーコン信号が受信された受信時間情報を意味する。
【００４８】
ユーザー端末は、サーバ２１２に新規動線情報を要請する場合、以前動線情報だけでなくユーザーＩＤ、ユーザーのメンバーシップ(顧客等級など)情報、ユーザーが保有したクーポン情報、ユーザーの以前購買履歴のようなユーザー情報を加えて伝送することができる。
【００４９】
さらに、ユーザー端末は、新規動線の推薦を要請するために予め格納されているビーコンＩＤとビーコンＩＤを含むビーコン信号の受信時間情報を伝送する場合、予め設定されたカテゴリに含まれるビーコンＩＤとビーコンＩＤを含むビーコン信号の受信時間情報のみを選択的にサーバに伝送できる。
【００５０】
サーバ２１２は、ユーザー端末から以前動線情報、すなわちビーコンＩＤとビーコンＩＤを含むビーコン信号の受信時間情報を受信する場合、ビーコンＩＤに含まれたショッピングモール情報、売場情報、及び商品情報とビーコン信号の受信時間情報に基づいてユーザー端末が訪問した売場、ユーザー端末が希望する商品を検出する。サーバ２１２は、ビーコン信号の受信時間情報に基づいてユーザー端末の移動経路及び売場別滞在時間を検出する。
【００５１】
サーバ２１２は、ユーザー端末が訪問した売場及びユーザー端末が所望する商品に関連した情報とユーザー端末の移動経路及び各売場での滞在時間に従ってユーザー端末に提供される新規動線情報を生成する。すなわち、サーバ２１２は、プロモーションの進行中である売場とユーザー端末が保有したクーポンが適用される売場などを考慮してユーザー端末が訪問しない売場のうちさらに訪問すべき売場を決定する。サーバ２１２は、この決定結果に基づいてユーザー向けにカスタマイズされた新規動線を生成し、生成された新規動線に関する情報をユーザー端末に提供する。このとき、サーバ２１２は、ユーザー端末に新規動線に関する情報を提供すると同時に、新規動線に含まれる売場に関する情報(例えば、割引情報、販売商品、及び価格情報など)と売場で使用可能なクーポンを共に提供できる。
【００５２】
さらに、サーバ２１２は、特定の一つの新規動線を生成して一つの新規動線に関する情報をユーザー端末に提供することだけでなく、異なるパラメータを考慮して生成された複数の新規動線に関する情報をユーザー端末に提供することによってユーザー端末に新規動線を選択するための選択権を与えることもできる。ここで、異なるパラメータを考慮して生成された複数の新規動線に関する情報は、基本的にユーザー端末の移動経路及び各売場での滞在時間を考慮して生成され、付加的にユーザー端末の以前購買履歴、ユーザー端末のメンバーシップ情報、ユーザー端末が保有したクーポン情報、又は短時間でショッピングを終えることが可能な移動距離を考慮して生成することができる。
【００５３】
図２では、ショッピングモールで衣服を購買しようとする顧客に以前動線情報に基づいて新規動線を生成して提供する動作を一例として説明した。しかしながら、図２で説明した新規動線提供技術は多様な分野に適用されて使用できる。例えば、新規動線提供技術は、ビルディング内の人員を効率的に配置するために使用することができ、病院内の検査室及び診療室で患者の追加訪問場所を案内するために使用し、スマートホームシステムで居住者の動線に基づいて宅内環境(照明、温度、湿度など）を制御するために使用することができる。
【００５４】
図３は、本発明の他の実施形態による以前動線情報に基づいて新規動線情報を生成する一例を示す。図３を参照すると、２人の勤務者(ｗｏｒｋｅｒ)が特定ビルディングに対する安全点検を実施するシナリオを仮定し、勤務者１の移動経路は地域Ｃ３０２→地域Ｂ３０４→地域Ａ３０６であり、勤務者２の移動経路は地域Ｂ３０４→地域Ｄ３１０→地域Ｅ３１２であると仮定する。さらに、各地域には勤務者が該当地域を訪問したか否かを検出するために使われる信号を伝送する信号発生器が設置されており、このような地域のうち特定地域３０８には勤務者の移動経路に従って新規動線を含む新規業務スケジュールを生成して提供するサーバが設置されていると仮定する。
【００５５】
業務を始めた勤務者１は地域Ｃ３０２を訪問して安全点検を実施し、勤務者１が携帯しているユーザー端末、例えばスマートフォン、タブレットＰＣ、ウェアラブルデバイスなどは地域Ｃ３０２に設置された信号発生器Ｃから伝送されるビーコン信号Ｃを受信する。ユーザー端末は、受信されたビーコン信号ＣからビーコンＩＤを抽出し、抽出されたビーコンＩＤとビーコン信号Ｃが受信される時間に関連した情報、例えば２０１５年１１月７日午後２時(１４：００)を格納する。
【００５６】
以後、勤務者１は地域Ｂ３０４を訪問して安全点検を実施し、ユーザー端末は、地域Ｂ３０４に設置された信号発生器Ｂから伝送されるビーコン信号Ｂを受信する。ユーザー端末は、受信されたビーコン信号ＢからビーコンＩＤを抽出し、抽出されたビーコンＩＤとビーコン信号Ｂが受信される時間に関連した情報、例えば２０１５年１１月７日午後２時１５分(１４：１５）を格納する。
【００５７】
最後に、勤務者１は地域Ａ３０６を訪問して安全点検を実施し、ユーザー端末は、地域Ａ３０６に設置された信号発生器Ａから伝送されるビーコン信号Ａを受信する。ユーザー端末は、受信されたビーコン信号ＡからビーコンＩＤを抽出し、抽出されたビーコンＩＤとビーコン信号Ａが受信される時間に関する情報、例えば２０１５年１１月７日午後２時４５分(１４：４５）を格納する。
【００５８】
業務を始めた勤務者２は、地域Ｂ３０４を訪問して安全点検を実施し、勤務者２が携帯しているユーザー端末は、地域Ｂ３０４に設置された信号発生器Ｂから伝送されるビーコン信号Ｂを受信する。ユーザー端末は、受信されたビーコン信号ＢからビーコンＩＤを抽出し、抽出されたビーコンＩＤとビーコン信号Ｂが受信される時間に関連した情報、例えば２０１５年１１月７日午後２時３０分(１４：３０）を格納する。
【００５９】
以後、勤務者２は地域Ｄ３１０を訪問して安全点検を実施し、ユーザー端末は、地域Ｄ３１０に設置された信号発生器Ｄから伝送されるビーコン信号Ｄを受信する。ユーザー端末は受信されたビーコン信号ＤからビーコンＩＤを抽出し、抽出されたビーコンＩＤとビーコン信号Ｄが受信される時間に関連した情報、例えば２０１５年１１月７日午後２時４５分(１４：４５）を格納する。
【００６０】
最後に、勤務者２は地域Ｅ３１２を訪問して安全点検を実施し、ユーザー端末は、地域Ｅ３１２に設置された信号発生器Ｅから伝送されるビーコン信号Ｅを受信する。ユーザー端末は、受信されたビーコン信号ＥからビーコンＩＤを抽出し、抽出されたビーコンＩＤとビーコン信号Ｅが受信される時間に関連した情報、例えば２０１５年１１月７日午後３時(１５：００)を格納する。
【００６１】
ここで、ユーザー端末が受信されたビーコン信号からビーコンＩＤを抽出し、抽出されたビーコンＩＤとビーコン信号が受信される受信時間情報をユーザー端末内の格納部に格納する構成を一例として説明した。しかしながら、ユーザー端末は、ビーコン信号の受信信号強度を測定し、測定した受信信号強度がユーザーにより予め設定された受信信号強度以上である場合にのみビーコン信号のＩＤを抽出して格納することができる。または、ユーザー端末は、抽出されたビーコンＩＤをユーザーにより予め設定されたカテゴリ情報と一致する場合にのみ格納できる。例えば、安全点検業務を実行する勤務者は、安全点検が必要な地域のみを訪問するので、ユーザー端末のカテゴリ情報を安全点検が必要な地域に予め設定し、この場合、ユーザー端末は、抽出されたビーコンＩＤが安全点検が必要な地域に対することである場合にのみ抽出されたビーコンＩＤを格納する。ここで、ユーザー端末のカテゴリ情報の設定は、例えばユーザー端末に設置された業務スケジュール推薦に関連したアプリケーションを通じて実行できる。
【００６２】
各地域に対する安全点検を完了した勤務者は、より効率的な業務のための新規業務スケジュール情報の受信を所望する場合、ユーザー端末に格納された自身の動線情報を含む安全点検履歴を地域３０８に設置されたサーバに伝送する。すなわち、勤務者１と勤務者２が保有したユーザー端末の各々は、予め格納されたビーコンＩＤとビーコンＩＤを含むビーコン信号の受信時間情報をサーバに伝送する。このとき、ユーザー端末は、このような情報以外にユーザー情報を追加的に伝送することができる。ここで、ユーザー情報は、例えば勤務者ＩＤ、勤務者の所属、職務、経歴、熟練度でありうる。
【００６３】
さらに、ユーザー端末は、予め格納されたビーコンＩＤとビーコンＩＤを含むビーコン信号が受信される受信時間情報を伝送するときに自身が所望するカテゴリを指定し、設定されたカテゴリに含まれるビーコンＩＤとビーコンＩＤを含むビーコン信号の受信時間情報のみを選択的にサーバに伝送することができる。図３では、勤務者が特定ビルディングに対する安全点検を実施するシナリオを仮定するので、ユーザー端末は、予め格納されたビーコンＩＤとビーコンＩＤを含むビーコン信号の受信時間情報のうち安全点検が必要な地域に関連したビーコンＩＤとビーコンＩＤを含むビーコン信号の受信時間情報のみをサーバに伝送できる。
【００６４】
ユーザー端末から各勤務者の以前動線情報、すなわちビーコンＩＤとビーコンＩＤを含むビーコン信号の受信時間情報を受信したサーバは、ビーコンＩＤに含まれた情報に基づいて各勤務者が安全点検のために訪問した地域を検出し、ビーコン信号の受信時間情報に基づいて勤務者の移動経路及び各地域別滞在時間を検出する。
【００６５】
各勤務者の移動経路及び各地域別滞在時間を検出したサーバは、勤務者の効率的な業務のために提供する新規業務スケジュールを生成し、生成された新規業務スケジュールをユーザー端末を通じて各勤務者に提供する。サーバは、基本的に安全点検が漏れるか、あるいは安全点検が重複して実施される地域がないように新規業務スケジュールを生成する。
【００６６】
図３では、勤務者１が地域Ｃ３０２→地域Ｂ３０４→地域Ａ３０６の順序で安全点検を実施し、勤務者２が地域Ｄ３１０→地域Ｅ３１２→地域Ｆ３１４の順序で安全点検を実施するように新規業務スケジュールを生成し、生成された新規業務スケジュールをユーザー端末を通じて各勤務者に提供する。このとき、サーバは、生成された新規業務スケジュールに含まれる各地域に関する情報、例えば該当地域に点検が必要な施設などに関する情報を新規業務スケジュールと共に勤務者に提供できる。
【００６７】
図４は、本発明のもう一つの実施形態による以前動線情報に基づいて新規動線情報を生成する一例を示す。図４を参照すると、病院を訪問した患者が健康診断を受けるシナリオを仮定し、患者の移動経路は診療室Ａ４０２→Ｘ線検査室Ｂ４０４→採血室Ｃ４０６と仮定する。また、病院内の各診療室及び検査室内には患者が該当地域を訪問したか否かを判定するために使用される信号を伝送する信号発生器が設置されており、インフォメーションデスク４０８には患者の移動経路に基づいて新規動線を生成して提供するサーバが設置されていると仮定する。
【００６８】
病院を訪問した患者が診療室Ａ４０２に入る場合、ユーザー端末は、患者が携帯しているユーザー端末、例えばスマートフォン、タブレットＰＣ、ウェアラブルデバイスなどは診療室Ａ４０２に設置された信号発生器Ａから伝送されるビーコン信号Ａを受信する。ユーザー端末は、受信されたビーコン信号ＡからビーコンＩＤを抽出し、抽出されたビーコンＩＤとビーコン信号Ａが受信される時間に関連した情報、例えば２０１５年１１月７日午後２時(１４：００)を格納する。
【００６９】
以後、患者がＸ線検査室Ｂ４０４を訪問すると、ユーザー端末は、Ｘ線検査室Ｂ４０４に設置された信号発生器Ｂから伝送されるビーコン信号Ｂを受信する。ユーザー端末は、受信されたビーコン信号ＢからビーコンＩＤを抽出し、抽出されたビーコンＩＤとビーコン信号Ｂが受信される時間に関連した情報、例えば２０１５年１１月７日午後２時３０分(１４：３０）を格納する。
【００７０】
最後に、患者が採血室Ｃ４０６を訪問すると、ユーザー端末は、採血室Ｃ４０６に設置された信号発生器Ｃから伝送されるビーコン信号Ｃを受信する。ユーザー端末は、受信されたビーコン信号ＣからビーコンＩＤを抽出し、抽出されたビーコンＩＤとビーコン信号Ｃが受信される時間に関連した情報、例えば２０１５年１１月７日午後２時５０分(１４:５０）を格納する。
【００７１】
ここで、ユーザー端末が受信されたビーコン信号からビーコンＩＤを抽出し、抽出されたビーコンＩＤとビーコン信号が受信される受信時間情報をユーザー端末内の格納部に格納する構成を一例として説明した。しかしながら、ユーザー端末は、ビーコン信号の受信信号強度を測定し、測定された受信信号強度がユーザーにより予め設定された受信信号強度以上である場合にのみビーコン信号のＩＤを抽出して格納することができる。あるいは、ユーザー端末は、抽出されたビーコンＩＤをユーザーにより予め設定されたカテゴリ情報と一致する場合にのみ格納することができる。例えば、健康診断を受ける患者は健康診断項目に関連した診療室/検査室のみを訪問するはずなので、ユーザー端末のカテゴリ情報は、健康診断項目に関連した診療室/検査室に予め設定される。この場合、ユーザー端末は、抽出されたビーコンＩＤが健康診断項目に関連した診療室/検査室に対することである場合にのみ抽出されたビーコンＩＤを格納する。ここで、ユーザー端末は、カテゴリ情報、例えばユーザー端末に設置された動線推薦に関連したアプリケーションにより設定することができる。
【００７２】
診療室Ａ４０２、Ｘ線検査室Ｂ４０４、及び採血室Ｃ４０６を訪問した患者は、健康診断のために追加的に訪問すべき場所に関する新規動線情報の提供を所望する場合、ユーザー端末に格納された自身の動線情報をインフォメーションデスク４０８に設置されたサーバに伝送する。すなわち、ユーザー端末は、予め格納されたビーコンＩＤとビーコンＩＤを含むビーコン信号の受信時間情報をサーバに伝送する。このとき、ユーザー端末は、追加的にユーザー情報を伝送できる。ここで、ユーザー情報は、例えば患者ＩＤ、患者の現在/過去の病歴、診療記録、医師意見書でありうる。
【００７３】
さらに、ユーザー端末は、予め格納されたビーコンＩＤとビーコンＩＤを含むビーコン信号が受信される受信時間情報を伝送する場合、自身が所望するカテゴリを設定し、設定されたカテゴリに含まれるビーコンＩＤとビーコンＩＤを含むビーコン信号の受信時間情報のみを選択的にサーバに伝送できる。図４では、病院を訪問した患者が健康診断を受けるシナリオを仮定するので、ユーザー端末は、予め格納されたビーコンＩＤとビーコンＩＤを含むビーコン信号の受信時間情報のうち健康診断項目に関連した診療室/検査室に関連したビーコンＩＤとビーコンＩＤを含むビーコン信号の受信時間情報のみをサーバに伝送できる。
【００７４】
ユーザー端末から患者の以前動線情報、すなわちビーコンＩＤとビーコンＩＤを含むビーコン信号の受信時間情報を受信したサーバは、ビーコンＩＤに含まれた情報に基づいて患者が健康診断のために訪問した診療室/検査室を検出し、ビーコン信号の受信時間情報に基づいて患者の移動経路及び各診療室/検査室での滞在時間を検出する。
【００７５】
患者の移動経路及び診療室/検査室別滞在時間を検出すると、サーバは、患者の効率的な健康診断のために提供する新規動線に関する情報を生成し、生成した新規動線に関する情報を患者のユーザー端末に送信する。サーバは、基本的に患者が健康診断のために追加的に訪問しなければならない診療室/検査室を含むように新規動線に関する情報を生成できる。図４において、患者がＣＴ検査室Ｄ４１０→診療室４１２の順序で訪問するように新規動線が生成され、生成された新規動線に関する情報を患者のユーザー端末に送信する。このとき、サーバは、生成された新規動線に含まれる診療室/検査室に関する情報、例えば該当診療室/検査室での診療/検査のための注意事項に関する情報を新規動線に関する情報と共にユーザー端末に送信することができる。
【００７６】
図５は、本発明の一実施形態による新規動線提供システムにおけるユーザー端末により受信されるビーコン信号の構成を示す。図５を参照すると、ユーザー端末が受信するビーコン信号は、プリアンブル領域５０２、アクセスアドレス領域５０４、ＰＤＵ領域５０６、及びＣＲＣ領域５０８を含む。ここで、ビーコン信号は、信号発生器から周期的に発生する信号を意味し、ユーザー端末の特定領域に対する近接程度を判定するときに使用される。本発明の実施形態では、ビーコン信号は、ユーザー端末の特定領域を訪問したか否かを判定する場合に使用される。
【００７７】
ビーコン信号のＰＤＵ領域５０６は、ＭＡＣヘッダー領域５１２、ＭＡＣアドレス領域５１４、及びデータ領域５１６を含む。データ領域５１６は、ユーザー端末がビーコン信号から抽出されるビーコンＩＤ情報を含む。具体的に、データ領域５１６は、ビーコンプレフィックス領域５２２、ビーコンＩＤ領域５３２、及び送信(Ｔｘ)電力領域５３０を含む。
【００７８】
ビーコンＩＤ領域５３２は、ＵＵＩＤ領域５２４、メジャーＩＤ領域５２６、及びマイナーＩＤ領域５２８を含む。例えば、ＵＵＩＤ領域５２４はショッピングモール情報を含み、メジャーＩＤ領域５２６は売場情報を含み、マイナーＩＤ領域５２８はブランド情報を含む。図５では、ＵＵＩＤ領域５２４はショッピングモール情報を含み、メジャー領域５２６は売場情報を含み、マイナー領域５２８はブランド情報を含む場合を一例として説明する。しかしながら、ＵＵＩＤ領域５２４、メジャー領域５２６、及びマイナー領域５２８は、階層的関係を有する他の情報を含んでもよい。階層的関係を有する情報は、ショッピングモール情報、売場情報、ブランド情報、及び商品情報のうち少なくとも一つを含むことができる。
【００７９】
図６は、本発明の一実施形態による以前動線情報に基づいて生成された新規動線情報を提供するためのプロセスを示す信号フロー図である。図６を参照すると、本発明の一実施形態による新規動線提供システムは、ユーザー端末６００、信号発生器Ａ６０２、信号発生器Ｂ６０４、及びサーバ６０６を含むことができる。信号発生器Ａ６０２と信号発生器Ｂ６０４は、各々異なる地理的領域に設置され、領域Ａに設置された信号発生器Ａ６０２はビーコン信号Ａを伝送し、領域Ｂに設置された信号発生器Ｂ６０４はビーコン信号Ｂを伝送する。ビーコン信号Ａは、ユーザー端末６００が領域Ａを訪問するか否かを判定するために使用される。ビーコン信号Ｂは、ユーザー端末６００が領域Ｂを訪問するか否かを判定するために使用される。
【００８０】
領域Ａを訪問したユーザー端末６００は、ステップ６０８において、信号発生器Ａ６０２から伝送されるビーコン信号Ａを受信し、ステップ６１０において、領域Ｂを訪問したユーザー端末は信号発生器Ｂ６０４から伝送されるビーコン信号Ｂを受信する。
【００８１】
ユーザー端末６００は、ステップ６１２において、ステップ６０８及びステップ６１０で受信されたビーコン信号Ａ、Ｂの各々からビーコンＩＤを抽出し、抽出した各ビーコンＩＤと各ビーコン信号が受信される受信時間情報を格納する。図６では、ユーザー端末６００がビーコン信号Ａとビーコン信号Ｂを受信した後にステップ６１２を実行する構成を一例として説明した。しかしながら、ユーザー端末６００は、ビーコン信号Ａを受信した後にビーコン信号ＡからビーコンＩＤを抽出し、抽出したビーコンＩＤとビーコン信号Ａが受信される受信時間情報を格納する。その後、ユーザー端末６００は、ビーコン信号Ｂを受信した後にビーコン信号ＢからビーコンＩＤを抽出し、抽出したビーコンＩＤとビーコン信号Ｂが受信される受信時間情報を格納することができる。
【００８２】
ステップ６１２のもう一つの例として、ユーザー端末６００は、ビーコン信号Ａ、Ｂの各々に対する信号強度を測定し、測定した受信信号強度がユーザーにより予め設定された受信信号強度以上であるビーコン信号に対してのみビーコンＩＤを抽出し、抽出されたビーコンＩＤとビーコンＩＤを含むビーコン信号の受信時間情報を格納することができる。
【００８３】
あるいは、ユーザー端末６００は、抽出されたビーコンＩＤをユーザーにより予め設定されたカテゴリ情報と比較し、抽出されたＩＤが予め設定されたカテゴリ情報に含まれる場合にのみビーコンＩＤとビーコンＩＤを含むビーコン信号の受信時間情報を格納することができる。ここで、カテゴリ情報は、図６に示す新規動線提供システムがショッピングモール顧客に効率的なショッピングを提供するために使用される場合に顧客がショッピングしようとする商品に関する情報を含むことができる。または、図６に示す新規動線提供システムがビルディング内の人員を効率的に配置するために使用される場合、カテゴリ情報は、勤務者の所属又は職務に関連した情報を含むことができる。あるいは、図６に示す新規動線提供システムが病院内の検査室及び診療室で患者の追加訪問場所を案内するために使用される場合に、カテゴリ情報は、患者の現在/過去の病歴又は医師意見書に関連した情報を含むことができる。
【００８４】
このようにビーコン信号Ａ、Ｂの各々に対するビーコンＩＤと各ビーコン信号が受信される受信時間情報を格納するユーザー端末６００は、ステップ６１４において、サーバ６０６に格納されたビーコンＩＤとビーコン信号受信時間情報を伝送し、領域Ａ、Ｂ以外に追加的に訪問する領域に関する新規動線情報を要請する。
【００８５】
このとき、ユーザー端末６００は、新規動線情報を要請する場合、上記のような動線情報、すなわちビーコンＩＤとビーコン信号受信時間情報だけでなくユーザー端末６００を保有したユーザーに関する情報を追加的に伝送できる。ここで、ユーザーに関する情報は、図６に示す新規動線提供システムがショッピングモール顧客に効率的なショッピング提供のために使用される場合、顧客ＩＤ、メンバーシップ(顧客等級など)情報、保有したクーポン情報、以前購買履歴でありうる。または、図６に示す新規動線提供システムがビルディング内の人員を効率的に配置するために使用される場合、ユーザーに関連した情報は、勤務者ＩＤ、勤務者の所属、職務、経歴、熟練度でありうる。あるいは、図６に示す新規動線提供システムが病院内の検査室及び診療室で患者の追加訪問場所を案内するために使用される場合、ユーザーに関連した情報は、患者ＩＤ、患者の現在/過去の病歴、診療記録、医師意見書でありうる。
【００８６】
さらに、ユーザー端末６００は、新規動線情報を要請するために予め格納されたビーコンＩＤとビーコンＩＤを含むビーコン信号の受信時間情報を伝送する場合、予め設定されたカテゴリに含まれるビーコンＩＤとビーコンＩＤを含むビーコン信号の受信時間情報のみを選択的にサーバに伝送する。
【００８７】
ユーザー端末６００から動線情報、すなわちビーコンＩＤとビーコン信号受信時間情報を受信すると、サーバ６０６は、ステップ６１６において、受信された動線情報に基づいてユーザー端末６００の移動経路と移動経路に含まれる各領域での滞在時間を検出する。
【００８８】
ユーザー端末６００の移動経路と各領域での滞在時間を検出したサーバ６０６は、ステップ６１８において、ユーザー端末６００に提供する新規動線に関する情報を生成する。図６に示した新規動線推薦システムがショッピングモール顧客に効率的なショッピングを提供するために使用される場合を仮定して説明すると、サーバ６０６は、ステップ６１６で検出されたユーザー端末６００の移動経路と各領域での滞在時間を考慮してユーザー端末６００が訪問しない売場のうち追加的に訪問する売場を決定し、その決定に従ってユーザー向けにカスタマイズされた新規動線に関する情報を生成する。このとき、サーバ６０６は、ユーザー端末６００から追加的に受信した情報がある場合、追加的に受信した情報を共に考慮して新規動線に関する情報を生成する。すなわち、サーバ６０６は、ユーザー端末６００から追加的に受信した情報、例えば以前購買履歴、メンバーシップ情報、ユーザー端末６００が保有したクーポン情報などをユーザー端末６００の移動経路と各領域での滞在時間と共に考慮して新規動線に関する情報を生成できる。
【００８９】
あるいは、図６に示す新規動線提供システムがビルディング内の人員を効率的に配置するために使用される場合を仮定して説明すると、サーバ６０６は、ステップ６１６で検出されたユーザー端末６００の移動経路と各領域での滞在時間を考慮して、ユーザー端末６００が訪問しない領域のうち追加的に訪問する領域を決定してユーザー向けにカスタマイズされた新規動線に関する情報を生成する。このとき、サーバ６０６は、ユーザー端末６００から追加的に受信した情報、例えば勤務者の所属、職務、経歴、熟練度などをユーザー端末６００の移動経路と各領域での滞在時間と共に考慮して新規動線に関する情報を生成できる。
【００９０】
さらに、図６に示す新規動線提供システムが病院内の検査室及び診療室で患者の追加訪問場所を案内するために使用される場合を仮定して説明すると、サーバ６０６は、ステップ６１６で検出されたユーザー端末６００の移動経路と各領域での滞在時間を考慮してユーザー端末６００が訪問しない領域のうち追加的に訪問する領域を決定し、その決定に基づいてユーザー向けにカスタマイズされた新規動線に関する情報を生成する。このとき、サーバ６０６は、ユーザー端末６００から追加的に受信した情報、例えば患者の現在/過去の病歴、診療記録、医師意見書をユーザー端末６００の移動経路及び各領域での滞在時間と共に考慮して新規動線に関する情報を生成できる。
【００９１】
以後、サーバ６０６は、ステップ６２０において、ステップ６１８で生成された新規動線に関する情報をユーザー端末６００に提供する。
【００９２】
図７は、本発明の一実施形態によりユーザー端末がサーバから以前動線情報に基づいて生成された新規動線情報を受信する一例を示すフローチャートである。図７を参照すると、ステップ７０２において、ユーザー端末は、少なくとも一つのビーコン信号を受信する。ビーコン信号は、ユーザー端末が特定領域を訪問したか否かを判定するために使用され、特定領域に設置された信号発生器から伝送される。
【００９３】
ステップ７０４において、ユーザー端末は、受信された少なくとも一つのビーコン信号の各々からビーコンＩＤを抽出する。ユーザー端末は、ステップ７０６において、抽出された各ビーコンＩＤと各ビーコン信号が受信される受信時間情報を格納する。このとき、ユーザー端末は、少なくとも一つのビーコン信号の各々に対する受信信号強度を測定し、測定した受信信号強度が予め設定された受信信号強度以上であるビーコン信号に対してのみビーコンＩＤを抽出し、抽出したビーコンＩＤとビーコンＩＤを含むビーコン信号の受信時間情報を格納することができる。あるいは、ユーザー端末は、抽出されたビーコンＩＤが予め設定されたカテゴリ情報に含まれるか否かを判定し、抽出されたビーコンＩＤが予め設定されたカテゴリ情報に含まれる場合にのみビーコンＩＤとビーコンＩＤを含むビーコン信号の受信時間情報を格納する。ここで、カテゴリ情報は、ビーコンＩＤに含まれるＵＵＩＤ情報、メジャー情報、又はマイナー情報のうちいずれか一つにより設定されうる。
【００９４】
ステップ７０８において、ユーザー端末は、新規動線情報を要請するか否かを判定し、新規動線情報を要請する場合、ステップ７１０に進行してステップ７０６で格納した各ビーコンＩＤと各ビーコン信号が受信される受信信号情報をサーバに伝送する。このようにユーザー端末は、自身の意思に従って各ビーコンＩＤと各ビーコン信号が受信される受信信号情報をサーバに伝送し、これによってユーザー意思に関係なくユーザー位置が追跡される問題を解決できる。一方、ステップ７０８において、ユーザー端末は、新規動線情報を要請しない場合、ステップ７０１で継続してビーコン信号を受信する。
【００９５】
ステップ７１０の他の例において、ユーザー端末は、ステップ７０６で格納されたビーコンＩＤと各ビーコン信号が受信される受信時間情報のうち予め設定されたカテゴリに含まれるビーコンＩＤとビーコンＩＤを含むビーコン信号の受信時間情報のみをサーバに伝送し、新規動線情報を要請することができる。
【００９６】
さらに、図示されていないが、ユーザー端末は、各ビーコンＩＤと各ビーコン信号が受信される受信信号情報とともにユーザー端末を保有したユーザーに関連したユーザー情報を伝送することができる。
【００９７】
以後、ステップ７１２において、ユーザー端末は、サーバから提供される新規動線情報を受信する。ここで、新規動線は、ステップ７１０において伝送した各ビーコンＩＤと各ビーコン信号が受信される受信時間情報から検出されたユーザー端末の移動経路と各領域の滞在時間に基づいて生成され、付加的にユーザー情報を追加して考慮して生成されうる。
【００９８】
図８は、本発明の一実施形態により、サーバによりユーザー端末の以前動線情報に基づいて新規動線情報を生成してユーザー端末に提供する例を示すフローチャートである。図８を参照すると、ステップ８０２において、サーバは、ユーザー端末から伝送される少なくとも一つのビーコンＩＤと少なくとも一つのビーコンＩＤに対応する少なくとも一つのビーコン信号の受信時間情報を受信する。ここで、少なくとも一つのビーコン信号は、ユーザー端末が特定領域を訪問したか否かを判定するために使用される信号を意味し、少なくとも一つのビーコンＩＤは、少なくとも一つのビーコン信号から抽出された情報を意味する。さらに、少なくとも一つのビーコン信号は、特定領域に設置された信号発生器から伝送される。
【００９９】
ステップ８０４において、サーバは、ユーザー端末から受信された少なくとも一つのビーコンＩＤと少なくとも一つのビーコンＩＤを含む少なくとも一つのビーコン信号の受信時間情報に基づいてユーザー端末の移動経路と移動経路に含まれる各領域の滞在時間を検出する。
【０１００】
ステップ８０６において、サーバは、ステップ８０４で検出されたユーザー端末の移動経路と各領域の滞在時間に基づき、ユーザー端末に提供する新規動線に関する情報を生成する。すなわち、サーバは、ユーザー端末が訪問しない領域のうちユーザー端末が追加訪問する領域に関する情報が含まれるように新規動線に関する情報を生成する。
【０１０１】
さらに、図示されていないが、サーバは、ユーザー端末から少なくとも一つのビーコンＩＤ及び少なくとも一つのビーコン信号が受信される受信信号情報とともにユーザー端末を保有したユーザーに関連したユーザー情報を受信することができる。この場合、サーバは、ユーザー端末の移動経路と各領域の滞在時間だけでなくユーザー情報も共に考慮して新規動線に関する情報を生成する。
【０１０２】
ステップ８０８において、サーバは、ステップ８０６で生成された新規動線に関する情報をユーザー端末に提供する。
【０１０３】
図９は、本発明の他の実施形態による以前動線情報に基づいて生成された新規動線情報を提供するためのプロセスを示す信号フロー図である。図９を参照すると、本発明の一実施形態による新規動線提供システムは、ユーザー端末９００、信号発生器Ａ９０２、信号発生器Ｂ９０４、及びサーバ９０６を含む。信号発生器Ａ９０２と信号発生器Ｂ９０４は、各々異なる地理的領域に設置され、領域Ａに設置された信号発生器Ａ９０２は、ビーコン信号Ａを伝送し、領域Ｂに設置された信号発生器Ｂ９０４は、ビーコン信号Ｂを伝送する。ビーコン信号Ａは、ユーザー端末９００が領域Ａを訪問したか否かを判定するために使用され、ビーコン信号Ｂは、ユーザー端末９００が領域Ｂを訪問したか否かを判定するために使用される。
【０１０４】
ユーザー端末は、ステップ９０８において、ユーザーからカテゴリ情報が入力されると、入力されたカテゴリ情報を格納する。カテゴリ情報は、図９に示す新規動線提供システムがショッピングモール顧客に効率的なショッピングを提供するために使用される場合、顧客がショッピングしようとする商品に関する情報を含むことができる。または、図９に示す新規動線提供システムがビルディング内の人員を効率的に配置するために使用される場合、カテゴリ情報は、勤務者の所属又は職務に関する情報を含む。または、図９に示す新規動線提供システムが病院内の検査室及び診療室で患者の追加訪問場所を案内するために使用される場合、カテゴリ情報は、患者の現在/過去の病歴又は医師意見書に関連した情報を含む。
【０１０５】
以後、領域Ａを訪問したユーザー端末９００は、ステップ９１０において、信号発生器Ａ９０２から伝送されるビーコン信号Ａを受信し、ステップ９１２において、領域Ｂを訪問したユーザー端末は信号発生器Ｂ９０４から伝送されるビーコン信号Ｂを受信する。
【０１０６】
ユーザー端末９００は、ステップ９１４において、ステップ９１０及びステップ９１２で受信したビーコン信号Ａ及びＢの各々からビーコンＩＤを抽出する。ユーザー端末９００は、ステップ９１６において、ステップ９１４で抽出されたビーコンＩＤがステップ９０８で格納されたカテゴリ情報と一致するかい否かを判定し、カテゴリ情報と一致するビーコンＩＤとビーコンＩＤを含むビーコン信号が受信される受信時間情報を格納する。図９を参照すると、ユーザー端末９００がビーコン信号Ａとビーコン信号Ｂを受信した後に、ステップ９１４及びステップ９１６を実行する構成を一例として説明した。しかしながら、ステップ９１４及びステップ９１６は、ユーザー端末９００がビーコン信号Ａを受信した直後とユーザー端末９００がビーコン信号Ｂを受信した直後に各々実行されうる。
【０１０７】
もう一つの例として、ユーザー端末９００は、ビーコン信号Ａ、Ｂの各々に対する信号強度を測定し、測定した受信信号強度がユーザーにより予め設定された受信信号強度以上であるビーコン信号に対してのみビーコンＩＤを抽出し、抽出したビーコンＩＤが予め格納されているカテゴリ情報と一致するか否かを判定することができる。
【０１０８】
このように予め格納されているカテゴリ情報と一致するビーコンＩＤとビーコンＩＤを含むビーコン信号が受信される受信時間情報を格納したユーザー端末９００は、ステップ９１８において、サーバ９０６に格納されたビーコンＩＤとビーコン信号受信時間情報を伝送し、領域Ａ、Ｂ以外に追加的に訪問する領域に関する新規動線情報を要請する。
【０１０９】
このとき、ユーザー端末９００は、新規動線情報を要請する場合、上記のような動線情報、すなわちビーコンＩＤとビーコン信号受信時間情報だけでなくユーザー端末９００を有するユーザーに関連した情報を追加的に伝送することができる。ここで、ユーザーに関連した情報は、図９に示す新規動線提供システムがショッピングモール顧客に効率的なショッピングの提供のために使用される場合には顧客ＩＤ、メンバーシップ(顧客等級など)情報、保有したクーポン情報、以前購買履歴などであり得る。または、図９に示す新規動線提供システムがビルディング内の人員を効率的に配置するために使用される場合、ユーザーに関連した情報は、勤務者ＩＤ、勤務者の所属、職務、経歴、熟練度であり得る。または、図９に示す新規動線提供システムが病院内の検査室及び診療室で患者の追加訪問場所を案内するために使用される場合、ユーザーに関連した情報は、患者ＩＤ、患者の現在/過去の病歴、診療記録、及び医師意見書であり得る。
【０１１０】
さらに、ユーザー端末９００は、新規動線情報を要請するために予め格納されたビーコンＩＤとビーコンＩＤを含むビーコン信号の受信時間情報を伝送する場合、予め設定されたカテゴリに含まれるビーコンＩＤとビーコンＩＤを含むビーコン信号の受信時間情報のみを選択的にサーバに伝送することができる。
【０１１１】
ユーザー端末９００から動線情報、すなわちビーコンＩＤとビーコン信号受信時間情報を受信すると、サーバ９０６は、ステップ９２０において、受信された動線情報に基づいてユーザー端末９００の移動経路と移動経路に含まれる各領域での滞在時間を検出する。
【０１１２】
ユーザー端末９００の移動経路と各領域の滞在時間を検出すると、サーバ９０６は、ステップ９２２において、ユーザー端末９００に提供する新規動線に関する情報を生成する。図９に示す新規動線推薦システムがショッピングモール顧客に効率的なショッピングを提供するために使用される場合を仮定して説明すると、サーバ９０６は、ステップ９２０で検出されたユーザー端末９００の移動経路と各領域での滞在時間を考慮してユーザー端末９００が訪問しない売場のうち追加的に訪問する売場を決定し、その決定に従ってユーザー向けにカスタマイズされた新規動線に関する情報を生成する。このとき、サーバ９０６は、ユーザー端末９００から追加して受信した情報がある場合、追加的に受信した情報も共に考慮して新規動線に関する情報を生成する。すなわち、サーバ９０６は、ユーザー端末９００から追加的に受信した情報、例えば、以前購買履歴、メンバーシップ情報、ユーザー端末９００が保有したクーポン情報などをユーザー端末９００の移動経路と各領域での滞在時間と共に考慮して新規動線に関する情報を生成することができる。
【０１１３】
あるいは、図９に示す新規動線提供システムがビルディング内の人員を効率的に配置するために使用される場合を仮定して説明すると、サーバ９０６は、ステップ９２０で検出されたユーザー端末９００の移動経路と各領域での滞在時間を考慮してユーザー端末９００が訪問しない領域のうち追加して訪問する領域を決定し、その決定に従ってユーザー向けにカスタマイズされた新規動線に関する情報を生成する。このとき、サーバ９０６は、ユーザー端末９００から追加的に受信した情報、例えば勤務者の所属、職務、経歴、熟練度などをユーザー端末９００の移動経路と各領域での滞在時間と共に考慮して新規動線に関する情報を生成できる。
【０１１４】
あるいは、図９に示す新規動線提供システムが病院内に検査室及び診療室で患者の追加訪問場所を案内するために使用される場合を仮定して説明すると、サーバ９０６は、ステップ９１６で検出したユーザー端末９００の移動経路と各領域での滞在時間を考慮してユーザー端末９００が訪問しない領域のうち追加して訪問する領域を決定し、ユーザー向けにカスタマイズされた新規動線に関する情報を生成する。このとき、サーバ９０６は、ユーザー端末９００から追加的に受信した情報、例えば患者の現在/過去の病歴、診療記録、医師意見書などをユーザー端末９００の移動経路及び各領域での滞在時間と共に考慮して新規動線に関する情報を生成できる。
【０１１５】
以後、サーバ９０６は、ステップ９２４において、ステップ９２２で生成された新規動線に関する情報をユーザー端末９００に伝送する。
【０１１６】
図１０は、本発明の他の実施形態により、ユーザー端末によりサーバから以前動線情報に基づいて生成された新規動線情報を受信する一例を示すフローチャートである。図１０を参照すると、ステップ１００２において、ユーザー端末は、ユーザーからカテゴリ情報が受信される場合、受信されたカテゴリ情報を格納し、ステップ１００４において、少なくとも一つのビーコン信号を受信する。少なくとも一つのビーコン信号は、ユーザー端末の特定領域を訪問するか否かを判定するために使用され、特定領域に設置された信号発生器から伝送される。
【０１１７】
ステップ１００６において、ユーザー端末は、受信された少なくとも一つのビーコン信号の各々からビーコンＩＤを抽出する。ここで、ユーザー端末は、少なくとも一つのビーコン信号の各々に対する受信信号強度を測定し、測定した受信信号強度が予め設定された受信信号強度以上であるビーコン信号に対してのみビーコンＩＤを抽出することもできる。
【０１１８】
ステップ１００８において、ユーザー端末は、抽出された各ビーコンＩＤがステップ１００２で格納されたカテゴリ情報と一致するか否かを判定し、抽出された各ビーコンＩＤが予め格納されたカテゴリ情報と一致する場合、ステップ１０１０に進行し、抽出された各ビーコンＩＤと各ビーコンＩＤに対応するビーコン信号が受信される受信時間情報を格納する。ここで、カテゴリ情報は、各ビーコンＩＤに含まれるＵＵＩＤ情報、メジャー情報、及びマイナー情報のうちいずれか一つの情報に設定されうる。一方、ステップ１００８で、抽出された各ビーコンＩＤが予め格納されたカテゴリ情報と一致しない場合、ユーザー端末は、ステップ１００４において継続してビーコン信号を受信する。
【０１１９】
以後、新規動線情報を要請すると判定される場合、ユーザー端末は、ステップ１０１２において、ステップ１０１０で格納されたビーコンＩＤとビーコンＩＤを含むビーコン信号が受信される受信信号情報をサーバに伝送する。また、図示されていないが、ユーザー端末は、ビーコンＩＤとビーコンＩＤを含むビーコン信号が受信される受信信号情報と共にユーザー端末を有するユーザーに関するユーザー情報を伝送することができる。
【０１２０】
ステップ１０１４において、ユーザー端末は、サーバから提供される新規動線情報を受信する。ここで、新規動線は、ステップ１０１２で伝送されたビーコンＩＤとビーコンＩＤを含むビーコン信号が受信される受信時間情報から検出されたユーザー端末の移動経路と各領域での滞在時間に基づいて生成され、付加的にユーザー情報をさらに考慮して生成される。
【０１２１】
図１１は、本発明の一実施形態によるユーザー端末を示すブロック構成図である。図１１を参照すると、ユーザー端末１１００は、通信部１１０２、格納部１１０４、制御部１１０６、ディスプレイ部１１０８、及びユーザー命令入力部１１１０を含む。
【０１２２】
制御部１１０６は、ユーザー端末１１００の全般的な動作を制御し、特にビーコン信号からビーコンＩＤを抽出する動作、抽出したビーコンＩＤと格納部１１０４に格納されたカテゴリ情報を比較する動作を実行する。その他に、制御部１１０６は、本発明の一実施形態による新規動線推薦技術に関連した全般的な動作を実行するように制御する。ここで、新規動線推薦技術に関連した全般的な動作については、図１乃至図７、図９及び図１０における説明と同様なので、ここではその詳細な説明を省略する。
【０１２３】
通信部１１０２は、制御部１１０６の制御下で、サーバとの通信に必要な各種情報を送受信する。特に、通信部１１０２は、格納部１１０４に格納された情報を送信し、サーバから提供される新規動線情報を受信する。ここで、通信部１１０２が送受信する各種情報は、図１乃至図７、図９及び図１０で説明したことと同様なので、ここではその詳細な説明を省略する。
【０１２４】
ユーザー命令入力部１１１０は、ユーザーからの命令を受信し、特にカテゴリ情報を受信する。
【０１２５】
格納部１１０４は、ユーザー端末１１００のすべての情報を格納し、特にビーコン認識情報(ビーコンＩＤ等)、ユーザーから入力されるカテゴリ情報、及びビーコン信号が受信される受信時間情報などを格納する。
【０１２６】
ディスプレイ部１１０８は、サーバから提供される新規動線情報を表示する。
【０１２７】
図１２は、本発明の一実施形態によるサーバを示すブロック構成図である。図１２を参照すると、サーバ１２００は、通信部１２０２、格納部１２０４、及び制御部１２０６を含む。サーバ１２００は、ネットワーク上で他の装置にサービスを提供するためにデータを格納し処理する役割を遂行し、例えば小売店内の管理サーバ又はサービスプロバイダの売場内のサーバと、サービスプロバイダのクラウドサーバを含むことができる。
【０１２８】
制御部１２０６は、サーバ１２００の全般的な動作を制御し、特にユーザー端末から受信した動線情報に基づいて新規動線を生成する動作、新規動線上の情報とユーザー情報をマッチングする動作などを実行する。その他に、制御部１２０６は、本発明の一実施形態による新規動線推薦技術に関連した全般的な動作を実行するように制御する。ここで、新規動線推薦技術に関連した全般的な動作について、図１乃至図６、図８及び図９の説明と同様なので、ここではその詳細な説明を省略する。
【０１２９】
通信部１２０２は、制御部１２０６の制御下で、ユーザー端末との通信に必要な各種情報などを送受信する。特に、通信部１２０２は、ユーザー端末から送信される動線情報を受信し、制御部１２０６により生成された新規動線情報を送信する。ここで、通信部１２０２が送受信する各種情報などは図１乃至図６、図８及び図９で説明したことと同様なので、ここではその詳細な説明を省略する。
【０１３０】
格納部１２０４は、サーバ１２００のすべての情報を格納し、特にユーザー端末から受信されたビーコン認識情報(ビーコンＩＤ等)、ビーコンＩＤ別商品情報、商品別クーポン情報、及びプロモーション情報などを格納する。
【０１３１】
上記した本発明による実施形態は、コンピュータ読み取り可能な記録媒体に対するコンピュータ読み取り可能なコードとして実施されることができる。このコンピュータ読み取り可能な記録媒体は、コンピュータシステムによって読み取り可能なデータを格納するデータストレージデバイスとなり得る。コンピュータ読み取り可能な記録媒体の例としては、ＲＯＭ(Ｒｅａｄ-Ｏｎｌｙ  Ｍｅｍｏｒｙ)、ＲＡＭ(Ｒａｎｄｏｍ-Ａｃｃｅｓｓ  Ｍｅｍｏｒｙ)、ＣＤ-ＲＯＭ、磁気テープ、フロッピーディスク、光データ格納装置、及び搬送波(有線及び／又は無線伝送経路を介してインターネットを経由するデータ伝送のような)を含むが、これに限定されることではない。また、このコンピュータ読み取り可能な記録媒体は、ネットワーク接続されたコンピュータシステムにわたって分散されることによって、コンピュータ読み取り可能なコードは分散形態で格納及び遂行される。また、本発明を達成するための機能的プログラム、コード、及びコードセグメントは、当該技術分野における熟練されたプログラマにとっては容易に理解できることである。
【０１３２】
本発明の実施形態によるトポロジ処理方法は、ハードウェア、ソフトウェア、又はそれらの組合せの形態で実現可能であることがわかる。このようなソフトウェアは、例えば、削除可能/再書き込みの可能可否に関係なく、ＲＯＭ等の格納装置のような揮発性又は非揮発性格納装置、又は例えばＲＡＭ、メモリチップ、装置又は集積回路のようなメモリ、又は例えばＣＤ、ＤＶＤ、磁気ディスク又は磁気テープのような光学又は磁気的に記録可能な機械(例えば、コンピュータ)-読み取り可能な格納媒体に格納することができる。本発明の一実施形態による方法は、制御部及びメモリを含むコンピュータ又は携帯端末により実現さる。このメモリは、本発明の実施形態を実現するための命令を含むプログラム又はプログラムを格納するのに適合した機械読み取り可能な格納媒体の一例であり得る。
【０１３３】
したがって、本発明は、本請求項により定められた装置及び方法を実現するための符号を含むプログラム、及びこのようなプログラムを格納する機械(例えば、コンピュータ)読み取り可能な格納媒体を含む。このプログラムは、有線/無線接続を通じて伝送される通信信号のような媒体を介して電気的に伝送でき、これに均等なものと共に本発明に含まれる。
【０１３４】
また、本発明の一実施形態による装置は、有線又は無線で接続されるプログラム提供装置からプログラムを受信して格納することができる。プログラム提供装置は、プログラム処理装置が予め設定されたコンテンツ保護方法を実行するようにする指示を含むプログラム、コンテンツ保護方法に必要なデータなどを格納するためのメモリ、グラフィック処理装置との有線又は無線通信を実行するための通信部、及びグラフィック処理装置の要請又は自動で該当プログラムを送受信装置に伝送する制御部を含むことができる。
【０１３５】
以上、本発明の詳細な説明においては具体的な実施形態に関して説明したが、特許請求の範囲を逸脱しない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０１３６】
１０２、１０４、１０６、１０８、１１０、１１２、１１４  売場
【図１】
2019503134.tif 000003
【図２】
2019503134.tif 000004
【図３】
2019503134.tif 000005
【図４】
2019503134.tif 000006
【図５】
2019503134.tif 000007
【図６】
2019503134.tif 000008
【図７】
2019503134.tif 000009
【図８】
2019503134.tif 000010
【図９】
2019503134.tif 000011
【図１０】
2019503134.tif 000012
【図１１】
2019503134.tif 000013
【図１２】
2019503134.tif 000014
【手続補正書】
【提出日】平成30年6月19日(2018.6.19)
【手続補正１】
【補正対象書類名】明細書
【補正対象項目名】全文
【補正方法】変更
【補正の内容】
【発明の詳細な説明】
【技術分野】
【０００１】
本発明は以前動線情報に基づいて新規動線情報を生成する方法及び装置に関する。
【背景技術】
【０００２】
インターネットは、人間が情報を生成し消費する人間中心の接続網から、電子及び電気的な事物（モノ）など分散された構成要素間で情報をやりとりして処理するモノインターネット(ＩｏＴ)ネットワークへと進化している。ＩｏＥ(Ｉｎｔｅｒｎｅｔ  ｏｆ  Ｅｖｅｒｙｔｈｉｎｇ)技術は、クラウドサーバとの接続を通じるビッグデータ処理技術などがＩｏＴ技術に結合された一例である。
【０００３】
ＩｏＴを実現するために、センシング技術、有線及び／又は無線通信、ネットワークインフラ、サービスインターフェース技術、及びセキュリティ技術のような技術要素が要求され、最近では事物間の接続のためのセンサネットワーク、Ｍ２Ｍ(Ｍａｃｈｉｎｅ  ｔｏ  Ｍａｃｈｉｎｅ)、ＭＴＣ(Ｍａｃｈｉｎｅ  Ｔｙｐｅ  Ｃｏｍｍｕｎｉｃａｔｉｏｎ)などの技術が研究されている。
【０００４】
ＩｏＴ環境では、接続されたモノから生成されたデータを収集及び分析して生きている人間に新たな価値を創出する知能型ＩＴ(Ｉｎｔｅｒｎｅｔ  Ｔｅｃｈｎｏｌｏｇｙ)サービスが提供できる。ＩｏＴは、従来のＩＴ技術と多様な産業との間の融合及び複合を通じてスマートホーム、スマートビルディング、スマートシティ、スマートカー又はコネクテッドカー、スマートグリッド、ヘルスケア、スマート家電、及び先端医療サービスなどの分野に応用可能である。
【０００５】
一方、スマートフォンの使用が大衆化されており、このようなスマートフォン等のモバイル機器を介してユーザーの動線(ｍｏｖｉｎｇ  ｌｉｎｅ)情報の獲得が可能となり、小売業領域ではユーザー動線情報を用いた多様なサービス提供に対する試みが持続的に行われてきた。しかしながら、ユーザーの意思に関係なく、ユーザーの位置が追跡されることは、ユーザーに拒否感を起こす可能性があり、それによってユーザー動線情報は多様なサービスに適用しにくいという問題があった。
【０００６】
そのため、ユーザーの意思に従ってユーザー動線情報を提供し、このような動線情報を用いて多様なサービスを提供する方案が要求される。
【発明の概要】
【発明が解決しようとする課題】
【０００７】
したがって、上記した従来技術による問題点を解決するために、本発明の目的は、以前動線情報に基づいて新規動線情報を生成する方法及び装置を提供することにある。
【０００８】
本発明の他の目的は、ユーザー端末の要請により新規動線情報を生成する方法及び装置を提供することにある。
【０００９】
さらに、本発明の目的は、ユーザー端末を有するユーザーに関連した情報を考慮して新規動線情報を生成する方法及び装置を提供することにある。
【課題を解決するための手段】
【００１０】
上記のような目的を達成するために、本発明の一態様によれば、端末により新規動線情報を受信する方法が提供される。その方法は、端末の移動経路に基づいて以前動線情報を生成するステップと、生成された以前動線情報をサーバに送信するステップと、送信された以前動線情報に基づいて生成された新規動線情報をサーバから受信するステップとを有する。
【００１１】
本発明の他の態様によれば、サーバにより新規動線情報を送信する方法が提供される。その方法は、端末から端末の移動経路に基づいて生成された以前動線情報を受信するステップと、受信された以前動線情報に基づいて新規動線情報を生成するステップと、生成された新規動線情報を端末に送信するステップとを有する。
【００１２】
また、本発明の他の態様によれば、端末であって、端末の移動経路に基づいて以前動線情報を生成する制御部と、生成された以前動線情報をサーバに送信する送信部と、送信された以前動線情報に基づいて生成された新規動線情報をサーバから受信する受信部とを含む端末が提供される。
【００１３】
さらに、本発明の他の態様によれば、サーバであって、端末から端末の移動経路に基づいて生成された以前動線情報を受信する受信部と、受信された以前動線情報に基づいて新規動線情報を生成する制御部と、生成された新規動線情報を端末に送信する送信部とを含むサーバが提供される。
【発明の効果】
【００１４】
本発明は、以前動線情報に基づいて新規動線情報を生成する。
【００１５】
本発明は、ユーザー端末の要請により新規動線情報を生成する。
【００１６】
さらに、本発明は、ユーザー端末を有するユーザーに関連した情報を考慮して新規動線情報を生成する。
【００１７】
本発明の他の態様、利点、及び顕著な特徴は、添付の図面及び本発明の実施形態からなされた以下の詳細な説明から、この分野の当業者に明確になるはずである。
【図面の簡単な説明】
【００１８】
【図１】本発明の一実施形態による以前動線情報に基づいて新規動線情報を生成する一例を示す図である。
【図２】本発明の一実施形態による以前動線情報に基づいて新規動線情報を生成する他の例を示す図である。
【図３】本発明の他の実施形態による以前動線情報に基づいて新規動線情報を生成する一例を示す図である。
【図４】本発明のもう一つの実施形態による以前動線情報に基づいて新規動線情報を生成する一例を示す図である。
【図５】本発明の一実施形態による新規動線情報の提供システムでユーザー端末が受信するビーコン信号の構成を示す図である。
【図６】本発明の一実施形態による以前動線情報に基づいて生成された新規動線情報を提供するためのプロセスを示す信号フロー図である。
【図７】本発明の一実施形態により、ユーザー端末によりサーバから以前動線情報に基づいて生成された新規動線情報を受信する一例を示すフローチャートである。
【図８】本発明の一実施形態により、サーバによりユーザー端末の以前動線情報に基づいて新規動線情報を生成してユーザー端末に提供する一例を示すフローチャートである。
【図９】本発明の他の実施形態による以前動線情報に基づいて生成された新規動線情報を提供するためのプロセスを示す信号フロー図である。
【図１０】本発明の他の実施形態により、ユーザー端末によりサーバから以前動線情報に基づいて生成された新規動線情報を受信する一例を示すフローチャートである。
【図１１】本発明の一実施形態によるユーザー端末を示すブロック構成図である。
【図１２】本発明の一実施形態によるサーバを示すブロック構成図である。
【発明を実施するための形態】
【００１９】
以下、本発明の望ましい実施形態を添付の図面を参照して詳細に説明する。
【００２０】
図面において、類似参照番号は同一あるいは類似したエレメントと、特徴及び構成を示すために使用されることに留意しなければならない。
【００２１】
本発明の多様な実施形態によると、電子デバイスは、スマートフォン、パーソナルコンピュータ(ＰＣ)、携帯電話、テレビ電話、電子書籍リーダ、デスクトップＰＣ、ラップトップＰＣ、ネットブックＰＣ、ＰＤＡ(Ｐｅｒｓｏｎａｌ  Ｄｉｇｉｔａｌ  Ａｓｓｉｓｔａｎｔ)、ＰＭＰ(Ｐｏｒｔａｂｌｅ  Ｍｕｌｔｉｍｅｄｉａ  Ｐｌａｙｅｒ)、ＭＰ３プレーヤー、モバイル医療デバイス、カメラ、ウェアラブルデバイス(例えば、ＨＭＤ(Ｈｅａｄ-Ｍｏｕｎｔｅｄ  Ｄｅｖｉｃｅ)、電気衣類、電子サスペンダー、電子ネックレス、電子アプセサリ、電子タトゥー、又はスマート時計)であってもよい。
本発明の実施形態によると、電子デバイスは、通信機能を有するスマート家電であってもよい。スマート家電は、例えばテレビジョン、ＤＶＤ(Digital Video Disk)プレーヤー、オーディオ、冷蔵庫、エアコン、電気掃除機、オーブン、電子レンジ、洗濯機、ドライヤー、空気清浄器、セットトップボックス、ＴＶボックス(例えば、Ｓａｍｓｕｎｇ  ＨｏｍｅＳｙｎｃ(登録商標)、Ａｐｐｌｅ  ＴＶ(登録商標)、又はＧｏｏｇｌｅ  ＴＶ(登録商標))、ゲーム機、電子辞書、電子キー、カムコーダ、電子ピクチャーフレームであってもよい。
【００２２】
本発明の実施形態によると、電子デバイスは、医療機器(例えば、ＭＲＡ(Ｍａｇｎｅｔｉｃ  Ｒｅｓｏｎａｎｃｅ  Ａｎｇｉｏｇｒａｐｈｙ)装置、ＭＲＩ(Ｍａｇｎｅｔｉｃ  Ｒｅｓｏｎａｎｃｅ  Ｉｍａｇｉｎｇ)装置、ＣＴ(Ｃｏｍｐｕｔｅｄ  Ｔｏｍｏｇｒａｐｈｙ)機器、映像機器、又は超音波装置)、ナビゲーション機器、ＧＰＳ(Ｇｌｏｂａｌ  Ｐｏｓｉｔｉｏｎｉｎｇ  Ｓｙｓｔｅｍ)受信器、イベントデータレコーダ(Ｅｖｅｎｔ  Ｄａｔａ  Ｒｅｃｏｒｄｅｒ：ＥＤＲ)、フライトデータレコーダ(Ｆｌｉｇｈｔ  Ｄａｔａ  Ｒｅｃｏｒｄｅｒ：ＦＤＲ)、自動車用インフォテインメント装置、海軍電子装置(例えば、海軍ナビゲーション装置、ジャイロスコープ、又はコンパス)、航空電子機器、セキュリティ機器、産業又は個人用ロボットであってもよい。
【００２３】
本発明の実施形態によると、電子デバイスは、通信機能を有する家具、ビル/構造の一部、電子ボード、電子署名受信器、プロジェクタ、多様な測定装置(例えば、水、電気、ガス、又は電磁波測定装置)であってもよい。
【００２４】
本発明の実施形態によると、電子デバイスは、上記した装置の組合せでありうる。さらに、本発明の実施形態による電子デバイスは、上記装置に制限されるものではないことは、当該技術分野における通常の知識を持つ者には明らかである。
【００２５】
図１は、本発明の一実施形態による以前動線情報に基づいて新規動線情報を生成する一例を示す。
【００２６】
図１を参照すると、衣服を購入しようとする顧客がショッピングモールを訪ねてショッピング中であるというシナリオを仮定し、顧客の移動経路は売場Ｃ１０２→売場Ｂ１０４→売場Ａ１０６であると仮定する。また、各売場内には顧客が売場を訪問するか否かを判定するために使用される信号を伝送する信号発生器が設置されており、インフォメーションデスク１０８に顧客の移動経路に基づいて新規動線を生成して提供するサーバが設置されていると仮定する。信号発生器は、用途に従って低周波から高い無線周波数に達するまで連続した周波数を発生させるか、固定した単一周波数を発生させる多様なタイプがあり、Ｗｉ-Ｆｉ(ｗｉｒｅｌｅｓｓ  ｆｉｄｅｌｉｔｙ)通信、生命工学(ＢＴ)通信、Ｚｉｇｂｅｅ通信、Ｚ-Ｗａｖｅ通信、赤外線(ＩＲ)通信、ＶＬＣ(Ｖｉｓｉｂｌｅ  Ｌｉｇｈｔ  Ｃｏｍｍｕｎｉｃａｔｉｏｎ)通信、セルラー通信などの通信に活用される。さらに、信号発生器は、代表的な形態として商品に内蔵された形態、別途付着された形態、ＥＳＬ(Ｅｌｅｃｔｒｉｃ  Ｓｈｅｌｆ  Ｌａｂｅｌ)形態などがあるが、これに限定されるものではない。本発明の実施形態において、信号発生器は、周期的に発生される無線通信信号、例えばビーコン信号を伝送し、ビーコン信号は受信信号強度によって特定領域に対する近接程度を判定するのに使用される。このようなビーコン信号を伝送する信号発生器は、低電力の消耗でバッテリー動作が可能であり、別途の電源構成が不要であり、コインサイズの小型に製造が可能なので、室内外の多様な環境で容易に構成できる。さらに、ビーコン信号による誤差は５ｃｍで精密な測定が可能であり、ビーコン信号は、出力設定に従って５０ｍまで到達可能なので、日常生活の周辺環境に容易に構成することができる。
【００２７】
ショッピングモールを訪ねた顧客は売場Ｃ１０２を訪問し、顧客が携帯した電子デバイス、例えばスマートフォン、タブレットＰＣ、ウェアラブルデバイスは売場Ｃ１０２に設置された信号発生器Ｃから伝送されるビーコン信号Ｃを受信する。後述する本発明の実施形態では、顧客により携帯される電子デバイスをユーザー端末と称することにする。ユーザー端末は、受信されたビーコン信号Ｃからビーコン識別子(ＩＤ)を抽出し、抽出したビーコンＩＤとビーコン信号Ｃが受信される時間に関連した情報、例えば２０１５年１１月７日午後２時(１４：００)を格納する。
【００２８】
以後、顧客は売場Ｂ１０４を訪問し、ユーザー端末は、売場Ｂ１０４に設置された信号発生器Ｂから伝送されるビーコン信号Ｂを受信する。ユーザー端末は、受信されたビーコン信号ＢからビーコンＩＤを抽出し、抽出したビーコンＩＤとビーコン信号Ｂが受信される時間に関する情報、例えば２０１５年１１月７日午後２時１５分(１４：１５）を格納する。
【００２９】
最後に、顧客は売場Ａ１０６を訪問し、ユーザー端末は、売場Ａ１０６に設置された信号発生器Ａから伝送されるビーコン信号Ａを受信する。ユーザー端末は、受信されたビーコン信号ＡからビーコンＩＤを抽出し、抽出したビーコンＩＤとビーコン信号Ａが受信される時間に関連した情報、例えば２０１５年１１月７日午後２時４５分(１４：４５）を格納する。
【００３０】
ここで、ユーザー端末が受信されたビーコン信号からビーコンＩＤを抽出し、抽出したビーコンＩＤとビーコン信号が受信される受信時間情報をユーザー端末内の格納部に格納する構成を一例として説明した。しかしながら、ユーザー端末は、ビーコン信号の受信信号強度を測定し、測定した受信信号強度がユーザーにより予め設定された受信信号強度以上である場合にのみ、ビーコン信号のＩＤを抽出して格納することができる。あるいは、ユーザー端末は、抽出されたビーコンＩＤがユーザーにより予め設定されたカテゴリ情報と一致する場合にのみ格納することができる。例えば、ショッピングモールを訪問した顧客は、衣服購入のために衣類売場のみを見回すはずなので、ユーザー端末のカテゴリ情報を衣類売場として予め設定できる。この場合、ユーザー端末は、抽出されたビーコンＩＤが衣類売場を識別する場合にのみ抽出されたビーコンＩＤを格納する。このとき、ユーザー端末のカテゴリ情報は、例えばユーザー端末に設置された動線の推薦に関連したアプリケーションにより設定されうる。
【００３１】
売場Ｃ、Ｂ、Ａ  １０２、１０４、１０６を見回した顧客は、希望する衣服購入のために一層効率的にショッピング可能な新規動線情報を受信しようとする場合、ユーザー端末に格納された自身の動線情報をインフォメーションデスク１０８に設置されたサーバに伝送する。すなわち、ユーザー端末は、予め格納されたビーコンＩＤとビーコンＩＤを含むビーコン信号の受信時間情報をサーバに伝送する。このとき、ユーザー端末は、このような情報以外にユーザー情報をさらに伝送することができる。ここで、ユーザー情報は、例えば顧客ＩＤ、顧客のメンバーシップ(顧客等級など)情報、顧客が保有したクーポン情報、顧客の以前購買履歴などでありうる。
【００３２】
さらに、ユーザー端末は、予め格納されたビーコンＩＤとビーコンＩＤを含むビーコン信号が受信される受信時間情報を伝送するとき、自身が所望するカテゴリを指定し、指定したカテゴリに含まれるビーコンＩＤとビーコンＩＤを含むビーコン信号の受信時間情報のみを選択的にサーバに伝送する。図１は、衣服を購入しようとする顧客がショッピングモールを訪問してショッピング中であるというシナリオを仮定するので、ユーザー端末は、予め格納されたビーコンＩＤとビーコンＩＤを含むビーコン信号の受信時間情報のうち衣服に関連したビーコンＩＤとビーコンＩＤを含むビーコン信号の受信時間情報のみをサーバに伝送できる。
【００３３】
ユーザー端末から顧客の以前動線情報、すなわちビーコンＩＤとビーコンＩＤを含むビーコン信号の受信時間情報を受信すると、サーバは、ビーコンＩＤに含まれた情報に基づいて顧客が所望する売場及び商品を検出し、ビーコン信号の受信時間情報に基づいて顧客の移動経路及び各売場別滞在時間を検出する。
ユーザーの移動経路及び各売場での滞在時間を検出したサーバは、顧客の効率的なショッピングのために提供する新規動線を生成し、生成された新規動線をユーザー端末を通じて顧客に提供する。サーバは、基本的に顧客が訪問しない売場のうち衣服購入のために追加的に訪問しなければならない売場を顧客が効率的に見回すことができるように新規動線を生成する。図１では、セールイベントを進行している売場Ｄ１１０と顧客が保有したクーポンが適用される売場Ｅ１１２と人気売場である売場Ｆ１１４の順序で顧客が訪問するように新規動線を生成し、生成された新規動線をユーザー端末を通じて顧客に提供する。このとき、サーバは、生成された新規動線に含まれる売場Ｄ、Ｅ、Ｆ  １１０、１１２、１１４に関するセール情報、売場Ｄ、Ｅ、Ｆ  １１０、１１２、１１４で使用可能なクーポン情報などを新規動線と共に顧客に提供できる。
【００３４】
もう一つの例において、サーバは、ユーザー端末により伝送されるユーザー情報、例えばユーザーの以前購買履歴を追加的に考慮して新規動線を生成することができる。すなわち、サーバは、顧客が以前に商品を購入した売場又は以前に購入した商品に類似した商品群を有する売場を中心として見回すように新規動線を生成できる。
【００３５】
他の例において、サーバは、ユーザー端末により伝送されるユーザー情報、例えばユーザーのメンバーシップ情報及び保有したクーポンをさらに考慮して新規動線を生成することができる。すなわち、サーバは、ユーザーが保有したクーポンの使用が可能な売場又はユーザーと同一の顧客等級の他のユーザーにより衣服の購入時に多く訪問した売場を中心として見回すことができるように新規動線を生成できる。
【００３６】
もう一つの例では、顧客のスケジュールにより短時間で衣服を購入しなければならない場合、サーバは、顧客が最少の時間をかけて買い物を終えるように移動距離を考慮した新規動線を生成できる。
【００３７】
さらに、サーバは、特定一つの新規動線を生成してユーザー端末を通じて顧客に提供することもでき、異なるパラメータを考慮して生成された複数の新規動線を顧客に提供して顧客が所望する動線を選択することができる。
【００３８】
図１では、ショッピングモールを訪問して買い物中である顧客がショッピングモールを訪問した時点から現在までに関する以前動線情報をサーバに伝送し、サーバは、受信された動線情報に基づいて顧客の効率的なショッピングのための新規動線を生成して推薦する動作を一例として説明した。しかしながら、ショッピングモールを訪問した顧客がショッピングを始める前に最近該当ショッピングモールを訪問したときの動線情報をサーバに伝送し、サーバから以前動線情報に基づいて生成された新規動線を受信できる。この場合、サーバは、以前訪問時の購買履歴などを考慮して購買履歴が存在する再訪問顧客にはクーポン情報、割引情報などを追加的に提供することができる。
【００３９】
図２は、本発明の一実施形態による以前動線情報に基づいて新規動線情報を生成する他の例を示す。
【００４０】
図２を参照すると、衣服を購入しようとする顧客がショッピングモールを訪問してショッピング中であるというシナリオを仮定し、ショッピングモールは、例えば衣類売場Ａ２０２、Ｂ２０４、Ｄ２０８、履物売場Ｃ２０６、及びインフォメーションデスク２１０を含むと仮定する。さらに、各売場内には顧客が携帯するユーザー端末、例えばスマートフォン、タブレットＰＣ、ウェアラブルデバイスなどの売場訪問有無を検出するために使用される信号を伝送する信号発生器が設置されており、インフォメーションデスク２１０には顧客に新規動線を生成して提供するためのサーバ２１２が設置されていると仮定する。
【００４１】
ユーザーが衣類売場Ａ２０２を訪問した場合、ユーザー端末は、衣類売場Ａ２０２に設置された信号発生器から転送されるビーコン信号Ａを受信する。ビーコン信号は、例えばプリアンブル領域、アクセスアドレス領域、プロトコルデータユニット(ＰＤＵ)領域、及び巡回冗長検査(ＣＲＣ)領域などを含むことができる。ビーコン信号については、後述する図５を参照して詳細に説明する。
【００４２】
ユーザー端末は、受信されたビーコン信号ＡからビーコンＩＤを抽出し、抽出されたビーコンＩＤとビーコン信号Ａが受信される時間に関する情報を格納する。ここで、ビーコン信号から抽出されたビーコンＩＤは、例えばショッピングモール識別のための汎用固有識別子(ＵＵＩＤ)、メジャー(ｍａｊｏｒ)ＩＤ、及びマイナー(ｍｉｎｏｒ)ＩＤなどを含むことができる。
【００４３】
ユーザーが衣類売場Ａ２０２を訪問した後に衣類売場Ｂ２０４を訪問する場合、ユーザー端末は、衣類売場Ｂ２０４に設置された信号発生器から伝送されるビーコン信号Ｂを受信する。ユーザー端末は、受信されたビーコン信号ＢからビーコンＩＤを抽出し、抽出されたビーコンＩＤとビーコン信号Ｂが受信される時間に関する情報を格納する。
【００４４】
ユーザーが衣類売場Ｂ２０４を訪問した後に衣類売場Ｄ２０８を訪問した場合、ユーザー端末は、衣類売場Ｄ２０８に設置された信号発生器から伝送されるビーコン信号Ｄを受信する。ユーザー端末は、受信されたビーコン信号ＤからビーコンＩＤを抽出し、抽出されたビーコンＩＤとビーコン信号Ｄが受信される時間に関連した情報を格納する。
【００４５】
図２では、ユーザー端末が衣類売場Ａ２０２→衣類売場Ｂ２０４→衣類売場Ｄ２０８の経路に移動するシナリオを仮定する。したがって、ユーザー端末は、ユーザーが訪問せずに行き過ぎた履物売場Ｃ２０６に設置された信号発生器から伝送されるビーコン信号Ｃを受信しない。
【００４６】
ここで、ユーザー端末が受信されたビーコン信号からビーコンＩＤを抽出し、抽出されたビーコンＩＤとビーコン信号が受信される受信時間情報をユーザー端末内の格納部に格納する構成を一例として説明する。しかしながら、ユーザー端末は、ビーコン信号の受信信号強度を測定し、測定した受信信号強度が予め設定された受信信号強度以上である場合にのみビーコン信号のビーコンＩＤを抽出して格納することができる。あるいは、ユーザー端末は、抽出されたビーコンＩＤが予め設定されたカテゴリ情報と一致する場合にのみ格納可能である。例えば、ショッピングモールを訪問した顧客は、衣服購入のために衣類売場のみを見回すので、ユーザー端末のカテゴリ情報を衣類売場に予め設定する。この場合、ユーザー端末は、抽出されたビーコンＩＤが衣類売場を識別する場合にのみ抽出されたビーコンＩＤを格納する。ここで、ユーザー端末のカテゴリ情報は、例えばユーザー端末に設置された動線推薦に関連したアプリケーションにより設定することができる。
【００４７】
衣類売場Ａ２０２→衣類売場Ｂ２０４→衣類売場Ｄ２０８の経路で移動したユーザー端末は、以後効率的なショッピング情報をユーザーに提供するためにインフォメーションデスク２１０に設置されたサーバ２１２に新規動線情報を要請できる。すなわち、ユーザー端末は、設置されたアプリケーションを通じて格納部に格納された以前動線情報をサーバ２１２に伝送することによってサーバ２１２に新規動線情報を要請できる。ここで、格納部に格納された以前動線情報は、各衣類売場の訪問時に受信されたビーコン信号から抽出されたビーコンＩＤとビーコン信号が受信された受信時間情報を意味する。
【００４８】
ユーザー端末は、サーバ２１２に新規動線情報を要請する場合、以前動線情報だけでなくユーザーＩＤ、ユーザーのメンバーシップ(顧客等級など)情報、ユーザーが保有したクーポン情報、ユーザーの以前購買履歴のようなユーザー情報を加えて伝送することができる。
【００４９】
さらに、ユーザー端末は、新規動線の推薦を要請するために予め格納されているビーコンＩＤとビーコンＩＤを含むビーコン信号の受信時間情報を伝送する場合、予め設定されたカテゴリに含まれるビーコンＩＤとビーコンＩＤを含むビーコン信号の受信時間情報のみを選択的にサーバに伝送できる。
【００５０】
サーバ２１２は、ユーザー端末から以前動線情報、すなわちビーコンＩＤとビーコンＩＤを含むビーコン信号の受信時間情報を受信する場合、ビーコンＩＤに含まれたショッピングモール情報、売場情報、及び商品情報とビーコン信号の受信時間情報に基づいてユーザー端末が訪問した売場、ユーザー端末が希望する商品を検出する。サーバ２１２は、ビーコン信号の受信時間情報に基づいてユーザー端末の移動経路及び売場別滞在時間を検出する。
【００５１】
サーバ２１２は、ユーザー端末が訪問した売場及びユーザー端末が所望する商品に関連した情報とユーザー端末の移動経路及び各売場での滞在時間に従ってユーザー端末に提供される新規動線情報を生成する。すなわち、サーバ２１２は、プロモーションの進行中である売場とユーザー端末が保有したクーポンが適用される売場などを考慮してユーザー端末が訪問しない売場のうちさらに訪問すべき売場を決定する。サーバ２１２は、この決定結果に基づいてユーザー向けにカスタマイズされた新規動線を生成し、生成された新規動線に関する情報をユーザー端末に提供する。このとき、サーバ２１２は、ユーザー端末に新規動線に関する情報を提供すると同時に、新規動線に含まれる売場に関する情報(例えば、割引情報、販売商品、及び価格情報など)と売場で使用可能なクーポンを共に提供できる。
【００５２】
さらに、サーバ２１２は、特定の一つの新規動線を生成して一つの新規動線に関する情報をユーザー端末に提供することだけでなく、異なるパラメータを考慮して生成された複数の新規動線に関する情報をユーザー端末に提供することによってユーザー端末に新規動線を選択するための選択権を与えることもできる。ここで、異なるパラメータを考慮して生成された複数の新規動線に関する情報は、基本的にユーザー端末の移動経路及び各売場での滞在時間を考慮して生成され、付加的にユーザー端末の以前購買履歴、ユーザー端末のメンバーシップ情報、ユーザー端末が保有したクーポン情報、又は短時間でショッピングを終えることが可能な移動距離を考慮して生成することができる。
【００５３】
図２では、ショッピングモールで衣服を購買しようとする顧客に以前動線情報に基づいて新規動線を生成して提供する動作を一例として説明した。しかしながら、図２で説明した新規動線提供技術は多様な分野に適用されて使用できる。例えば、新規動線提供技術は、ビルディング内の人員を効率的に配置するために使用することができ、病院内の検査室及び診療室で患者の追加訪問場所を案内するために使用し、スマートホームシステムで居住者の動線に基づいて宅内環境(照明、温度、湿度など）を制御するために使用することができる。
【００５４】
図３は、本発明の他の実施形態による以前動線情報に基づいて新規動線情報を生成する一例を示す。
【００５５】
図３を参照すると、２人の勤務者(ｗｏｒｋｅｒ)が特定ビルディングに対する安全点検を実施するシナリオを仮定し、勤務者１の移動経路は地域Ｃ３０２→地域Ｂ３０４→地域Ａ３０６であり、勤務者２の移動経路は地域Ｂ３０４→地域Ｄ３１０→地域Ｅ３１２であると仮定する。さらに、各地域には勤務者が該当地域を訪問したか否かを検出するために使われる信号を伝送する信号発生器が設置されており、このような地域のうち特定地域３０８には勤務者の移動経路に従って新規動線を含む新規業務スケジュールを生成して提供するサーバが設置されていると仮定する。
【００５６】
業務を始めた勤務者１は地域Ｃ３０２を訪問して安全点検を実施し、勤務者１が携帯しているユーザー端末、例えばスマートフォン、タブレットＰＣ、ウェアラブルデバイスなどは地域Ｃ３０２に設置された信号発生器Ｃから伝送されるビーコン信号Ｃを受信する。ユーザー端末は、受信されたビーコン信号ＣからビーコンＩＤを抽出し、抽出されたビーコンＩＤとビーコン信号Ｃが受信される時間に関連した情報、例えば２０１５年１１月７日午後２時(１４：００)を格納する。
【００５７】
以後、勤務者１は地域Ｂ３０４を訪問して安全点検を実施し、ユーザー端末は、地域Ｂ３０４に設置された信号発生器Ｂから伝送されるビーコン信号Ｂを受信する。ユーザー端末は、受信されたビーコン信号ＢからビーコンＩＤを抽出し、抽出されたビーコンＩＤとビーコン信号Ｂが受信される時間に関連した情報、例えば２０１５年１１月７日午後２時１５分(１４：１５）を格納する。
【００５８】
最後に、勤務者１は地域Ａ３０６を訪問して安全点検を実施し、ユーザー端末は、地域Ａ３０６に設置された信号発生器Ａから伝送されるビーコン信号Ａを受信する。ユーザー端末は、受信されたビーコン信号ＡからビーコンＩＤを抽出し、抽出されたビーコンＩＤとビーコン信号Ａが受信される時間に関する情報、例えば２０１５年１１月７日午後２時４５分(１４：４５）を格納する。
【００５９】
業務を始めた勤務者２は、地域Ｂ３０４を訪問して安全点検を実施し、勤務者２が携帯しているユーザー端末は、地域Ｂ３０４に設置された信号発生器Ｂから伝送されるビーコン信号Ｂを受信する。ユーザー端末は、受信されたビーコン信号ＢからビーコンＩＤを抽出し、抽出されたビーコンＩＤとビーコン信号Ｂが受信される時間に関連した情報、例えば２０１５年１１月７日午後２時３０分(１４：３０）を格納する。
【００６０】
以後、勤務者２は地域Ｄ３１０を訪問して安全点検を実施し、ユーザー端末は、地域Ｄ３１０に設置された信号発生器Ｄから伝送されるビーコン信号Ｄを受信する。ユーザー端末は受信されたビーコン信号ＤからビーコンＩＤを抽出し、抽出されたビーコンＩＤとビーコン信号Ｄが受信される時間に関連した情報、例えば２０１５年１１月７日午後２時４５分(１４：４５）を格納する。
【００６１】
最後に、勤務者２は地域Ｅ３１２を訪問して安全点検を実施し、ユーザー端末は、地域Ｅ３１２に設置された信号発生器Ｅから伝送されるビーコン信号Ｅを受信する。ユーザー端末は、受信されたビーコン信号ＥからビーコンＩＤを抽出し、抽出されたビーコンＩＤとビーコン信号Ｅが受信される時間に関連した情報、例えば２０１５年１１月７日午後３時(１５：００)を格納する。
ここで、ユーザー端末が受信されたビーコン信号からビーコンＩＤを抽出し、抽出されたビーコンＩＤとビーコン信号が受信される受信時間情報をユーザー端末内の格納部に格納する構成を一例として説明した。しかしながら、ユーザー端末は、ビーコン信号の受信信号強度を測定し、測定した受信信号強度がユーザーにより予め設定された受信信号強度以上である場合にのみビーコン信号のＩＤを抽出して格納することができる。または、ユーザー端末は、抽出されたビーコンＩＤをユーザーにより予め設定されたカテゴリ情報と一致する場合にのみ格納できる。例えば、安全点検業務を実行する勤務者は、安全点検が必要な地域のみを訪問するので、ユーザー端末のカテゴリ情報を安全点検が必要な地域に予め設定し、この場合、ユーザー端末は、抽出されたビーコンＩＤが安全点検が必要な地域に対することである場合にのみ抽出されたビーコンＩＤを格納する。ここで、ユーザー端末のカテゴリ情報の設定は、例えばユーザー端末に設置された業務スケジュール推薦に関連したアプリケーションを通じて実行できる。
【００６２】
各地域に対する安全点検を完了した勤務者は、より効率的な業務のための新規業務スケジュール情報の受信を所望する場合、ユーザー端末に格納された自身の動線情報を含む安全点検履歴を地域３０８に設置されたサーバに伝送する。すなわち、勤務者１と勤務者２が保有したユーザー端末の各々は、予め格納されたビーコンＩＤとビーコンＩＤを含むビーコン信号の受信時間情報をサーバに伝送する。このとき、ユーザー端末は、このような情報以外にユーザー情報を追加的に伝送することができる。ここで、ユーザー情報は、例えば勤務者ＩＤ、勤務者の所属、職務、経歴、熟練度でありうる。
【００６３】
さらに、ユーザー端末は、予め格納されたビーコンＩＤとビーコンＩＤを含むビーコン信号が受信される受信時間情報を伝送するときに自身が所望するカテゴリを指定し、設定されたカテゴリに含まれるビーコンＩＤとビーコンＩＤを含むビーコン信号の受信時間情報のみを選択的にサーバに伝送することができる。図３では、勤務者が特定ビルディングに対する安全点検を実施するシナリオを仮定するので、ユーザー端末は、予め格納されたビーコンＩＤとビーコンＩＤを含むビーコン信号の受信時間情報のうち安全点検が必要な地域に関連したビーコンＩＤとビーコンＩＤを含むビーコン信号の受信時間情報のみをサーバに伝送できる。
【００６４】
ユーザー端末から各勤務者の以前動線情報、すなわちビーコンＩＤとビーコンＩＤを含むビーコン信号の受信時間情報を受信したサーバは、ビーコンＩＤに含まれた情報に基づいて各勤務者が安全点検のために訪問した地域を検出し、ビーコン信号の受信時間情報に基づいて勤務者の移動経路及び各地域別滞在時間を検出する。
【００６５】
各勤務者の移動経路及び各地域別滞在時間を検出したサーバは、勤務者の効率的な業務のために提供する新規業務スケジュールを生成し、生成された新規業務スケジュールをユーザー端末を通じて各勤務者に提供する。サーバは、基本的に安全点検が漏れるか、あるいは安全点検が重複して実施される地域がないように新規業務スケジュールを生成する。
【００６６】
図３では、勤務者１が地域Ｃ３０２→地域Ｂ３０４→地域Ａ３０６の順序で安全点検を実施し、勤務者２が地域Ｄ３１０→地域Ｅ３１２→地域Ｆ３１４の順序で安全点検を実施するように新規業務スケジュールを生成し、生成された新規業務スケジュールをユーザー端末を通じて各勤務者に提供する。このとき、サーバは、生成された新規業務スケジュールに含まれる各地域に関する情報、例えば該当地域に点検が必要な施設などに関する情報を新規業務スケジュールと共に勤務者に提供できる。
【００６７】
図４は、本発明のもう一つの実施形態による以前動線情報に基づいて新規動線情報を生成する一例を示す。図４を参照すると、病院を訪問した患者が健康診断を受けるシナリオを仮定し、患者の移動経路は診療室Ａ４０２→Ｘ線検査室Ｂ４０４→採血室Ｃ４０６と仮定する。また、病院内の各診療室及び検査室内には患者が該当領域を訪問したか否かを判定するために使用される信号を伝送する信号発生器が設置されており、インフォメーションデスク４０８には患者の移動経路に基づいて新規動線を生成して提供するサーバが設置されていると仮定する。
【００６８】
病院を訪問した患者が診療室Ａ４０２に入る場合、ユーザー端末は、患者が携帯しているユーザー端末、例えばスマートフォン、タブレットＰＣ、ウェアラブルデバイスなどは診療室Ａ４０２に設置された信号発生器Ａから伝送されるビーコン信号Ａを受信する。ユーザー端末は、受信されたビーコン信号ＡからビーコンＩＤを抽出し、抽出されたビーコンＩＤとビーコン信号Ａが受信される時間に関連した情報、例えば２０１５年１１月７日午後２時(１４：００)を格納する。
【００６９】
以後、患者がＸ線検査室Ｂ４０４を訪問すると、ユーザー端末は、Ｘ線検査室Ｂ４０４に設置された信号発生器Ｂから伝送されるビーコン信号Ｂを受信する。ユーザー端末は、受信されたビーコン信号ＢからビーコンＩＤを抽出し、抽出されたビーコンＩＤとビーコン信号Ｂが受信される時間に関連した情報、例えば２０１５年１１月７日午後２時３０分(１４：３０）を格納する。
【００７０】
最後に、患者が採血室Ｃ４０６を訪問すると、ユーザー端末は、採血室Ｃ４０６に設置された信号発生器Ｃから伝送されるビーコン信号Ｃを受信する。ユーザー端末は、受信されたビーコン信号ＣからビーコンＩＤを抽出し、抽出されたビーコンＩＤとビーコン信号Ｃが受信される時間に関連した情報、例えば２０１５年１１月７日午後２時５０分(１４:５０）を格納する。
【００７１】
ここで、ユーザー端末が受信されたビーコン信号からビーコンＩＤを抽出し、抽出されたビーコンＩＤとビーコン信号が受信される受信時間情報をユーザー端末内の格納部に格納する構成を一例として説明した。しかしながら、ユーザー端末は、ビーコン信号の受信信号強度を測定し、測定された受信信号強度がユーザーにより予め設定された受信信号強度以上である場合にのみビーコン信号のＩＤを抽出して格納することができる。あるいは、ユーザー端末は、抽出されたビーコンＩＤをユーザーにより予め設定されたカテゴリ情報と一致する場合にのみ格納することができる。例えば、健康診断を受ける患者は健康診断項目に関連した診療室/検査室のみを訪問するはずなので、ユーザー端末のカテゴリ情報は、健康診断項目に関連した診療室/検査室に予め設定される。この場合、ユーザー端末は、抽出されたビーコンＩＤが健康診断項目に関連した診療室/検査室に合致する場合にのみ抽出されたビーコンＩＤを格納する。ここで、ユーザー端末は、カテゴリ情報、例えばユーザー端末に設置された動線推薦に関連したアプリケーションにより設定することができる。
【００７２】
診療室Ａ４０２、Ｘ線検査室Ｂ４０４、及び採血室Ｃ４０６を訪問した患者は、健康診断のために追加的に訪問すべき場所に関する新規動線情報の提供を所望する場合、ユーザー端末に格納された自身の動線情報をインフォメーションデスク４０８に設置されたサーバに伝送する。すなわち、ユーザー端末は、予め格納されたビーコンＩＤとビーコンＩＤを含むビーコン信号の受信時間情報をサーバに伝送する。このとき、ユーザー端末は、追加的にユーザー情報を伝送できる。ここで、ユーザー情報は、例えば患者ＩＤ、患者の現在/過去の病歴、診療記録、医師意見書でありうる。
【００７３】
さらに、ユーザー端末は、予め格納されたビーコンＩＤとビーコンＩＤを含むビーコン信号が受信される受信時間情報を伝送する場合、自身が所望するカテゴリを設定し、設定されたカテゴリに含まれるビーコンＩＤとビーコンＩＤを含むビーコン信号の受信時間情報のみを選択的にサーバに伝送できる。図４では、病院を訪問した患者が健康診断を受けるシナリオを仮定するので、ユーザー端末は、予め格納されたビーコンＩＤとビーコンＩＤを含むビーコン信号の受信時間情報のうち健康診断項目に関連した診療室/検査室に関連したビーコンＩＤとビーコンＩＤを含むビーコン信号の受信時間情報のみをサーバに伝送できる。
【００７４】
ユーザー端末から患者の以前動線情報、すなわちビーコンＩＤとビーコンＩＤを含むビーコン信号の受信時間情報を受信したサーバは、ビーコンＩＤに含まれた情報に基づいて患者が健康診断のために訪問した診療室/検査室を検出し、ビーコン信号の受信時間情報に基づいて患者の移動経路及び各診療室/検査室での滞在時間を検出する。
【００７５】
患者の移動経路及び診療室/検査室別滞在時間を検出すると、サーバは、患者の効率的な健康診断のために提供する新規動線に関する情報を生成し、生成した新規動線に関する情報を患者のユーザー端末に送信する。サーバは、基本的に患者が健康診断のために追加的に訪問しなければならない診療室/検査室を含むように新規動線に関する情報を生成できる。図４において、患者がＣＴ検査室Ｄ４１０→診療室４１２の順序で訪問するように新規動線が生成され、生成された新規動線に関する情報を患者のユーザー端末に送信する。このとき、サーバは、生成された新規動線に含まれる診療室/検査室に関する情報、例えば該当診療室/検査室での診療/検査のための注意事項に関する情報を新規動線に関する情報と共にユーザー端末に送信することができる。
【００７６】
図５は、本発明の一実施形態による新規動線提供システムにおけるユーザー端末により受信されるビーコン信号の構成を示す。図５を参照すると、ユーザー端末が受信するビーコン信号は、プリアンブル領域５０２、アクセスアドレス領域５０４、ＰＤＵ領域５０６、及びＣＲＣ領域５０８を含む。ここで、ビーコン信号は、信号発生器から周期的に発生する信号を意味し、ユーザー端末の特定領域に対する近接程度を判定するときに使用される。本発明の実施形態では、ビーコン信号は、ユーザー端末が特定領域を訪問したか否かを判定する場合に使用される。
【００７７】
ビーコン信号のＰＤＵ領域５０６は、ＭＡＣヘッダー領域５１２、ＭＡＣアドレス領域５１４、及びデータ領域５１６を含む。データ領域５１６は、ユーザー端末がビーコン信号から抽出されるビーコンＩＤ情報を含む。具体的に、データ領域５１６は、ビーコンプレフィックス領域５２２、ビーコンＩＤ領域５３２、及び送信(Ｔｘ)電力領域５３０を含む。
【００７８】
ビーコンＩＤ領域５３２は、ＵＵＩＤ領域５２４、メジャーＩＤ領域５２６、及びマイナーＩＤ領域５２８を含む。例えば、ＵＵＩＤ領域５２４はショッピングモール情報を含み、メジャーＩＤ領域５２６は売場情報を含み、マイナーＩＤ領域５２８はブランド情報を含む。図５では、ＵＵＩＤ領域５２４はショッピングモール情報を含み、メジャー領域５２６は売場情報を含み、マイナー領域５２８はブランド情報を含む場合を一例として説明する。しかしながら、ＵＵＩＤ領域５２４、メジャー領域５２６、及びマイナー領域５２８は、階層的関係を有する他の情報を含んでもよい。階層的関係を有する情報は、ショッピングモール情報、売場情報、ブランド情報、及び商品情報のうち少なくとも一つを含むことができる。
【００７９】
図６は、本発明の一実施形態による以前動線情報に基づいて生成された新規動線情報を提供するためのプロセスを示す信号フロー図である。図６を参照すると、本発明の一実施形態による新規動線提供システムは、ユーザー端末６００、信号発生器Ａ６０２、信号発生器Ｂ６０４、及びサーバ６０６を含むことができる。信号発生器Ａ６０２と信号発生器Ｂ６０４は、各々異なる地理的領域に設置され、領域Ａに設置された信号発生器Ａ６０２はビーコン信号Ａを伝送し、領域Ｂに設置された信号発生器Ｂ６０４はビーコン信号Ｂを伝送する。ビーコン信号Ａは、ユーザー端末６００が領域Ａを訪問するか否かを判定するために使用される。ビーコン信号Ｂは、ユーザー端末６００が領域Ｂを訪問するか否かを判定するために使用される。
【００８０】
領域Ａを訪問したユーザー端末６００は、ステップ６０８において、信号発生器Ａ６０２から伝送されるビーコン信号Ａを受信し、ステップ６１０において、領域Ｂを訪問したユーザー端末は信号発生器Ｂ６０４から伝送されるビーコン信号Ｂを受信する。
【００８１】
ユーザー端末６００は、ステップ６１２において、ステップ６０８及びステップ６１０で受信されたビーコン信号Ａ、Ｂの各々からビーコンＩＤを抽出し、抽出した各ビーコンＩＤと各ビーコン信号が受信される受信時間情報を格納する。図６では、ユーザー端末６００がビーコン信号Ａとビーコン信号Ｂを受信した後にステップ６１２を実行する構成を一例として説明した。しかしながら、ユーザー端末６００は、ビーコン信号Ａを受信した後にビーコン信号ＡからビーコンＩＤを抽出し、抽出したビーコンＩＤとビーコン信号Ａが受信される受信時間情報を格納する。その後、ユーザー端末６００は、ビーコン信号Ｂを受信した後にビーコン信号ＢからビーコンＩＤを抽出し、抽出したビーコンＩＤとビーコン信号Ｂが受信される受信時間情報を格納することができる。
【００８２】
ステップ６１２のもう一つの例として、ユーザー端末６００は、ビーコン信号Ａ、Ｂの各々に対する信号強度を測定し、測定した受信信号強度がユーザーにより予め設定された受信信号強度以上であるビーコン信号に対してのみビーコンＩＤを抽出し、抽出されたビーコンＩＤとビーコンＩＤを含むビーコン信号の受信時間情報を格納することができる。
【００８３】
あるいは、ユーザー端末６００は、抽出されたビーコンＩＤをユーザーにより予め設定されたカテゴリ情報と比較し、抽出されたＩＤが予め設定されたカテゴリ情報に含まれる場合にのみビーコンＩＤとビーコンＩＤを含むビーコン信号の受信時間情報を格納することができる。ここで、カテゴリ情報は、図６に示す新規動線提供システムがショッピングモール顧客に効率的なショッピングを提供するために使用される場合に顧客がショッピングしようとする商品に関する情報を含むことができる。または、図６に示す新規動線提供システムがビルディング内の人員を効率的に配置するために使用される場合、カテゴリ情報は、勤務者の所属又は職務に関連した情報を含むことができる。あるいは、図６に示す新規動線提供システムが病院内の検査室及び診療室で患者の追加訪問場所を案内するために使用される場合に、カテゴリ情報は、患者の現在/過去の病歴又は医師意見書に関連した情報を含むことができる。
【００８４】
このようにビーコン信号Ａ、Ｂの各々に対するビーコンＩＤと各ビーコン信号が受信される受信時間情報を格納するユーザー端末６００は、ステップ６１４において、サーバ６０６に格納されたビーコンＩＤとビーコン信号受信時間情報を伝送し、領域Ａ、Ｂ以外に追加的に訪問する領域に関する新規動線情報を要請する。
【００８５】
このとき、ユーザー端末６００は、新規動線情報を要請する場合、上記のような動線情報、すなわちビーコンＩＤとビーコン信号受信時間情報だけでなくユーザー端末６００を保有したユーザーに関する情報を追加的に伝送できる。ここで、ユーザーに関する情報は、図６に示す新規動線提供システムがショッピングモール顧客に効率的なショッピング提供のために使用される場合、顧客ＩＤ、メンバーシップ(顧客等級など)情報、保有したクーポン情報、以前購買履歴でありうる。または、図６に示す新規動線提供システムがビルディング内の人員を効率的に配置するために使用される場合、ユーザーに関連した情報は、勤務者ＩＤ、勤務者の所属、職務、経歴、熟練度でありうる。あるいは、図６に示す新規動線提供システムが病院内の検査室及び診療室で患者の追加訪問場所を案内するために使用される場合、ユーザーに関連した情報は、患者ＩＤ、患者の現在/過去の病歴、診療記録、医師意見書でありうる。
【００８６】
さらに、ユーザー端末６００は、新規動線情報を要請するために予め格納されたビーコンＩＤとビーコンＩＤを含むビーコン信号の受信時間情報を伝送する場合、予め設定されたカテゴリに含まれるビーコンＩＤとビーコンＩＤを含むビーコン信号の受信時間情報のみを選択的にサーバに伝送する。
【００８７】
ユーザー端末６００から動線情報、すなわちビーコンＩＤとビーコン信号受信時間情報を受信すると、サーバ６０６は、ステップ６１６において、受信された動線情報に基づいてユーザー端末６００の移動経路と移動経路に含まれる各領域での滞在時間を検出する。
【００８８】
ユーザー端末６００の移動経路と各領域での滞在時間を検出したサーバ６０６は、ステップ６１８において、ユーザー端末６００に提供する新規動線に関する情報を生成する。図６に示した新規動線推薦システムがショッピングモール顧客に効率的なショッピングを提供するために使用される場合を仮定して説明すると、サーバ６０６は、ステップ６１６で検出されたユーザー端末６００の移動経路と各領域での滞在時間を考慮してユーザー端末６００が訪問しない売場のうち追加的に訪問する売場を決定し、その決定に従ってユーザー向けにカスタマイズされた新規動線に関する情報を生成する。このとき、サーバ６０６は、ユーザー端末６００から追加的に受信した情報がある場合、追加的に受信した情報を共に考慮して新規動線に関する情報を生成する。すなわち、サーバ６０６は、ユーザー端末６００から追加的に受信した情報、例えば以前購買履歴、メンバーシップ情報、ユーザー端末６００が保有したクーポン情報などをユーザー端末６００の移動経路と各領域での滞在時間と共に考慮して新規動線に関する情報を生成できる。
【００８９】
あるいは、図６に示す新規動線提供システムがビルディング内の人員を効率的に配置するために使用される場合を仮定して説明すると、サーバ６０６は、ステップ６１６で検出されたユーザー端末６００の移動経路と各領域での滞在時間を考慮して、ユーザー端末６００が訪問しない領域のうち追加的に訪問する領域を決定してユーザー向けにカスタマイズされた新規動線に関する情報を生成する。このとき、サーバ６０６は、ユーザー端末６００から追加的に受信した情報、例えば勤務者の所属、職務、経歴、熟練度などをユーザー端末６００の移動経路と各領域での滞在時間と共に考慮して新規動線に関する情報を生成できる。
【００９０】
さらに、図６に示す新規動線提供システムが病院内の検査室及び診療室で患者の追加訪問場所を案内するために使用される場合を仮定して説明すると、サーバ６０６は、ステップ６１６で検出されたユーザー端末６００の移動経路と各領域での滞在時間を考慮してユーザー端末６００が訪問しない領域のうち追加的に訪問する領域を決定し、その決定に基づいてユーザー向けにカスタマイズされた新規動線に関する情報を生成する。このとき、サーバ６０６は、ユーザー端末６００から追加的に受信した情報、例えば患者の現在/過去の病歴、診療記録、医師意見書をユーザー端末６００の移動経路及び各領域での滞在時間と共に考慮して新規動線に関する情報を生成できる。
【００９１】
以後、サーバ６０６は、ステップ６２０において、ステップ６１８で生成された新規動線に関する情報をユーザー端末６００に提供する。
【００９２】
図７は、本発明の一実施形態によりユーザー端末がサーバから以前動線情報に基づいて生成された新規動線情報を受信する一例を示すフローチャートである。
【００９３】
図７を参照すると、ステップ７０２において、ユーザー端末は、少なくとも一つのビーコン信号を受信する。ビーコン信号は、ユーザー端末が特定領域を訪問したか否かを判定するために使用され、特定領域に設置された信号発生器から伝送される。
【００９４】
ステップ７０４において、ユーザー端末は、受信された少なくとも一つのビーコン信号の各々からビーコンＩＤを抽出する。ユーザー端末は、ステップ７０６において、抽出された各ビーコンＩＤと各ビーコン信号が受信される受信時間情報を格納する。このとき、ユーザー端末は、少なくとも一つのビーコン信号の各々に対する受信信号強度を測定し、測定した受信信号強度が予め設定された受信信号強度以上であるビーコン信号に対してのみビーコンＩＤを抽出し、抽出したビーコンＩＤとビーコンＩＤを含むビーコン信号の受信時間情報を格納することができる。あるいは、ユーザー端末は、抽出されたビーコンＩＤが予め設定されたカテゴリ情報に含まれるか否かを判定し、抽出されたビーコンＩＤが予め設定されたカテゴリ情報に含まれる場合にのみビーコンＩＤとビーコンＩＤを含むビーコン信号の受信時間情報を格納する。ここで、カテゴリ情報は、ビーコンＩＤに含まれるＵＵＩＤ情報、メジャー情報、又はマイナー情報のうちいずれか一つにより設定されうる。
【００９５】
ステップ７０８において、ユーザー端末は、新規動線情報を要請するか否かを判定し、新規動線情報を要請する場合、ステップ７１０に進行してステップ７０６で格納した各ビーコンＩＤと各ビーコン信号が受信される受信信号情報をサーバに伝送する。このようにユーザー端末は、自身の意思に従って各ビーコンＩＤと各ビーコン信号が受信される受信信号情報をサーバに伝送し、これによってユーザー意思に関係なくユーザー位置が追跡される問題を解決できる。一方、ステップ７０８において、ユーザー端末は、新規動線情報を要請しない場合、ステップ７０２で継続してビーコン信号を受信する。
【００９６】
ステップ７１０の他の例において、ユーザー端末は、ステップ７０６で格納されたビーコンＩＤと各ビーコン信号が受信される受信時間情報のうち予め設定されたカテゴリに含まれるビーコンＩＤとビーコンＩＤを含むビーコン信号の受信時間情報のみをサーバに伝送し、新規動線情報を要請することができる。
【００９７】
さらに、図示されていないが、ユーザー端末は、各ビーコンＩＤと各ビーコン信号が受信される受信信号情報とともにユーザー端末を保有したユーザーに関連したユーザー情報を伝送することができる。
【００９８】
以後、ステップ７１２において、ユーザー端末は、サーバから提供される新規動線情報を受信する。ここで、新規動線は、ステップ７１０において伝送した各ビーコンＩＤと各ビーコン信号が受信される受信時間情報から検出されたユーザー端末の移動経路と各領域の滞在時間に基づいて生成され、付加的にユーザー情報を追加して考慮して生成されうる。
【００９９】
図８は、本発明の一実施形態により、サーバによりユーザー端末の以前動線情報に基づいて新規動線情報を生成してユーザー端末に提供する例を示すフローチャートである。
【０１００】
図８を参照すると、ステップ８０２において、サーバは、ユーザー端末から伝送される少なくとも一つのビーコンＩＤと少なくとも一つのビーコンＩＤに対応する少なくとも一つのビーコン信号の受信時間情報を受信する。ここで、少なくとも一つのビーコン信号は、ユーザー端末が特定領域を訪問したか否かを判定するために使用される信号を意味し、少なくとも一つのビーコンＩＤは、少なくとも一つのビーコン信号から抽出された情報を意味する。さらに、少なくとも一つのビーコン信号は、特定領域に設置された信号発生器から伝送される。
【０１０１】
ステップ８０４において、サーバは、ユーザー端末から受信された少なくとも一つのビーコンＩＤと少なくとも一つのビーコンＩＤを含む少なくとも一つのビーコン信号の受信時間情報に基づいてユーザー端末の移動経路と移動経路に含まれる各領域の滞在時間を検出する。
【０１０２】
ステップ８０６において、サーバは、ステップ８０４で検出されたユーザー端末の移動経路と各領域の滞在時間に基づき、ユーザー端末に提供する新規動線に関する情報を生成する。すなわち、サーバは、ユーザー端末が訪問しない領域のうちユーザー端末が追加訪問する領域に関する情報が含まれるように新規動線に関する情報を生成する。
【０１０３】
さらに、図示されていないが、サーバは、ユーザー端末から少なくとも一つのビーコンＩＤ及び少なくとも一つのビーコン信号が受信される受信信号情報とともにユーザー端末を保有したユーザーに関連したユーザー情報を受信することができる。この場合、サーバは、ユーザー端末の移動経路と各領域の滞在時間だけでなくユーザー情報も共に考慮して新規動線に関する情報を生成する。
【０１０４】
ステップ８０８において、サーバは、ステップ８０６で生成された新規動線に関する情報をユーザー端末に提供する。
【０１０５】
図９は、本発明の他の実施形態による以前動線情報に基づいて生成された新規動線情報を提供するためのプロセスを示す信号フロー図である。
【０１０６】
図９を参照すると、本発明の一実施形態による新規動線提供システムは、ユーザー端末９００、信号発生器Ａ９０２、信号発生器Ｂ９０４、及びサーバ９０６を含む。信号発生器Ａ９０２と信号発生器Ｂ９０４は、各々異なる地理的領域に設置され、領域Ａに設置された信号発生器Ａ９０２は、ビーコン信号Ａを伝送し、領域Ｂに設置された信号発生器Ｂ９０４は、ビーコン信号Ｂを伝送する。ビーコン信号Ａは、ユーザー端末９００が領域Ａを訪問したか否かを判定するために使用され、ビーコン信号Ｂは、ユーザー端末９００が領域Ｂを訪問したか否かを判定するために使用される。
【０１０７】
ユーザー端末は、ステップ９０８において、ユーザーからカテゴリ情報が入力されると、入力されたカテゴリ情報を格納する。カテゴリ情報は、図９に示す新規動線提供システムがショッピングモール顧客に効率的なショッピングを提供するために使用される場合、顧客がショッピングしようとする商品に関する情報を含むことができる。または、図９に示す新規動線提供システムがビルディング内の人員を効率的に配置するために使用される場合、カテゴリ情報は、勤務者の所属又は職務に関する情報を含む。または、図９に示す新規動線提供システムが病院内の検査室及び診療室で患者の追加訪問場所を案内するために使用される場合、カテゴリ情報は、患者の現在/過去の病歴又は医師意見書に関連した情報を含む。
【０１０８】
以後、領域Ａを訪問したユーザー端末９００は、ステップ９１０において、信号発生器Ａ９０２から伝送されるビーコン信号Ａを受信し、ステップ９１２において、領域Ｂを訪問したユーザー端末は信号発生器Ｂ９０４から伝送されるビーコン信号Ｂを受信する。
ユーザー端末９００は、ステップ９１４において、ステップ９１０及びステップ９１２で受信したビーコン信号Ａ及びＢの各々からビーコンＩＤを抽出する。ユーザー端末９００は、ステップ９１６において、ステップ９１４で抽出されたビーコンＩＤがステップ９０８で格納されたカテゴリ情報と一致するかい否かを判定し、カテゴリ情報と一致するビーコンＩＤとビーコンＩＤを含むビーコン信号が受信される受信時間情報を格納する。図９を参照すると、ユーザー端末９００がビーコン信号Ａとビーコン信号Ｂを受信した後に、ステップ９１４及びステップ９１６を実行する構成を一例として説明した。しかしながら、ステップ９１４及びステップ９１６は、ユーザー端末９００がビーコン信号Ａを受信した直後とユーザー端末９００がビーコン信号Ｂを受信した直後に各々実行されうる。
【０１０９】
もう一つの例として、ユーザー端末９００は、ビーコン信号Ａ、Ｂの各々に対する信号強度を測定し、測定した受信信号強度がユーザーにより予め設定された受信信号強度以上であるビーコン信号に対してのみビーコンＩＤを抽出し、抽出したビーコンＩＤが予め格納されているカテゴリ情報と一致するか否かを判定することができる。
【０１１０】
このように予め格納されているカテゴリ情報と一致するビーコンＩＤとビーコンＩＤを含むビーコン信号が受信される受信時間情報を格納したユーザー端末９００は、ステップ９１８において、サーバ９０６に格納されたビーコンＩＤとビーコン信号受信時間情報を伝送し、領域Ａ、Ｂ以外に追加的に訪問する領域に関する新規動線情報を要請する。
【０１１１】
このとき、ユーザー端末９００は、新規動線情報を要請する場合、上記のような動線情報、すなわちビーコンＩＤとビーコン信号受信時間情報だけでなくユーザー端末９００を有するユーザーに関連した情報を追加的に伝送することができる。ここで、ユーザーに関連した情報は、図９に示す新規動線提供システムがショッピングモール顧客に効率的なショッピングの提供のために使用される場合には顧客ＩＤ、メンバーシップ(顧客等級など)情報、保有したクーポン情報、以前購買履歴などであり得る。または、図９に示す新規動線提供システムがビルディング内の人員を効率的に配置するために使用される場合、ユーザーに関連した情報は、勤務者ＩＤ、勤務者の所属、職務、経歴、熟練度であり得る。または、図９に示す新規動線提供システムが病院内の検査室及び診療室で患者の追加訪問場所を案内するために使用される場合、ユーザーに関連した情報は、患者ＩＤ、患者の現在/過去の病歴、診療記録、及び医師意見書であり得る。
【０１１２】
さらに、ユーザー端末９００は、新規動線情報を要請するために予め格納されたビーコンＩＤとビーコンＩＤを含むビーコン信号の受信時間情報を伝送する場合、予め設定されたカテゴリに含まれるビーコンＩＤとビーコンＩＤを含むビーコン信号の受信時間情報のみを選択的にサーバに伝送することができる。
【０１１３】
ユーザー端末９００から動線情報、すなわちビーコンＩＤとビーコン信号受信時間情報を受信すると、サーバ９０６は、ステップ９２０において、受信された動線情報に基づいてユーザー端末９００の移動経路と移動経路に含まれる各領域での滞在時間を検出する。
ユーザー端末９００の移動経路と各領域の滞在時間を検出すると、サーバ９０６は、ステップ９２２において、ユーザー端末９００に提供する新規動線に関する情報を生成する。図９に示す新規動線推薦システムがショッピングモール顧客に効率的なショッピングを提供するために使用される場合を仮定して説明すると、サーバ９０６は、ステップ９２０で検出されたユーザー端末９００の移動経路と各領域での滞在時間を考慮してユーザー端末９００が訪問しない売場のうち追加的に訪問する売場を決定し、その決定に従ってユーザー向けにカスタマイズされた新規動線に関する情報を生成する。このとき、サーバ９０６は、ユーザー端末９００から追加して受信した情報がある場合、追加的に受信した情報も共に考慮して新規動線に関する情報を生成する。すなわち、サーバ９０６は、ユーザー端末９００から追加的に受信した情報、例えば、以前購買履歴、メンバーシップ情報、ユーザー端末９００が保有したクーポン情報などをユーザー端末９００の移動経路と各領域での滞在時間と共に考慮して新規動線に関する情報を生成することができる。
【０１１４】
あるいは、図９に示す新規動線提供システムがビルディング内の人員を効率的に配置するために使用される場合を仮定して説明すると、サーバ９０６は、ステップ９２０で検出されたユーザー端末９００の移動経路と各領域での滞在時間を考慮してユーザー端末９００が訪問しない領域のうち追加して訪問する領域を決定し、その決定に従ってユーザー向けにカスタマイズされた新規動線に関する情報を生成する。このとき、サーバ９０６は、ユーザー端末９００から追加的に受信した情報、例えば勤務者の所属、職務、経歴、熟練度などをユーザー端末９００の移動経路と各領域での滞在時間と共に考慮して新規動線に関する情報を生成できる。
【０１１５】
あるいは、図９に示す新規動線提供システムが病院内に検査室及び診療室で患者の追加訪問場所を案内するために使用される場合を仮定して説明すると、サーバ９０６は、ステップ９１６で検出したユーザー端末９００の移動経路と各領域での滞在時間を考慮してユーザー端末９００が訪問しない領域のうち追加して訪問する領域を決定し、ユーザー向けにカスタマイズされた新規動線に関する情報を生成する。このとき、サーバ９０６は、ユーザー端末９００から追加的に受信した情報、例えば患者の現在/過去の病歴、診療記録、医師意見書などをユーザー端末９００の移動経路及び各領域での滞在時間と共に考慮して新規動線に関する情報を生成できる。
【０１１６】
以後、サーバ９０６は、ステップ９２４において、ステップ９２２で生成された新規動線に関する情報をユーザー端末９００に伝送する。
【０１１７】
図１０は、本発明の他の実施形態により、ユーザー端末によりサーバから以前動線情報に基づいて生成された新規動線情報を受信する一例を示すフローチャートである。
【０１１８】
図１０を参照すると、ステップ１００２において、ユーザー端末は、ユーザーからカテゴリ情報が受信される場合、受信されたカテゴリ情報を格納し、ステップ１００４において、少なくとも一つのビーコン信号を受信する。少なくとも一つのビーコン信号は、ユーザー端末が特定領域を訪問するか否かを判定するために使用され、特定領域に設置された信号発生器から伝送される。
【０１１９】
ステップ１００６において、ユーザー端末は、受信された少なくとも一つのビーコン信号の各々からビーコンＩＤを抽出する。ここで、ユーザー端末は、少なくとも一つのビーコン信号の各々に対する受信信号強度を測定し、測定した受信信号強度が予め設定された受信信号強度以上であるビーコン信号に対してのみビーコンＩＤを抽出することもできる。
【０１２０】
ステップ１００８において、ユーザー端末は、抽出された各ビーコンＩＤがステップ１００２で格納されたカテゴリ情報と一致するか否かを判定し、抽出された各ビーコンＩＤが予め格納されたカテゴリ情報と一致する場合、ステップ１０１０に進行し、抽出された各ビーコンＩＤと各ビーコンＩＤに対応するビーコン信号が受信される受信時間情報を格納する。ここで、カテゴリ情報は、各ビーコンＩＤに含まれるＵＵＩＤ情報、メジャー情報、及びマイナー情報のうちいずれか一つの情報に設定されうる。一方、ステップ１００８で、抽出された各ビーコンＩＤが予め格納されたカテゴリ情報と一致しない場合、ユーザー端末は、ステップ１００４において継続してビーコン信号を受信する。
【０１２１】
以後、新規動線情報を要請すると判定される場合、ユーザー端末は、ステップ１０１２において、ステップ１０１０で格納されたビーコンＩＤとビーコンＩＤを含むビーコン信号が受信される受信信号情報をサーバに伝送する。また、図示されていないが、ユーザー端末は、ビーコンＩＤとビーコンＩＤを含むビーコン信号が受信される受信信号情報と共にユーザー端末を有するユーザーに関するユーザー情報を伝送することができる。
【０１２２】
ステップ１０１４において、ユーザー端末は、サーバから提供される新規動線情報を受信する。ここで、新規動線は、ステップ１０１２で伝送されたビーコンＩＤとビーコンＩＤを含むビーコン信号が受信される受信時間情報から検出されたユーザー端末の移動経路と各領域での滞在時間に基づいて生成され、付加的にユーザー情報をさらに考慮して生成される。
【０１２３】
図１１は、本発明の一実施形態によるユーザー端末を示すブロック構成図である。図１１を参照すると、ユーザー端末１１００は、通信部１１０２、格納部１１０４、制御部１１０６、ディスプレイ部１１０８、及びユーザー命令入力部１１１０を含む。
【０１２４】
制御部１１０６は、ユーザー端末１１００の全般的な動作を制御し、特にビーコン信号からビーコンＩＤを抽出する動作、抽出したビーコンＩＤと格納部１１０４に格納されたカテゴリ情報を比較する動作を実行する。その他に、制御部１１０６は、本発明の一実施形態による新規動線推薦技術に関連した全般的な動作を実行するように制御する。ここで、新規動線推薦技術に関連した全般的な動作については、図１乃至図７、図９及び図１０における説明と同様なので、ここではその詳細な説明を省略する。
【０１２５】
通信部１１０２は、制御部１１０６の制御下で、サーバとの通信に必要な各種情報を送受信する。特に、通信部１１０２は、格納部１１０４に格納された情報を送信し、サーバから提供される新規動線情報を受信する。ここで、通信部１１０２が送受信する各種情報は、図１乃至図７、図９及び図１０で説明したことと同様なので、ここではその詳細な説明を省略する。
【０１２６】
ユーザー命令入力部１１１０は、ユーザーからの命令を受信し、特にカテゴリ情報を受信する。
【０１２７】
格納部１１０４は、ユーザー端末１１００のすべての情報を格納し、特にビーコン認識情報(ビーコンＩＤ等)、ユーザーから入力されるカテゴリ情報、及びビーコン信号が受信される受信時間情報などを格納する。
【０１２８】
ディスプレイ部１１０８は、サーバから提供される新規動線情報を表示する。
【０１２９】
図１２は、本発明の一実施形態によるサーバを示すブロック構成図である。図１２を参照すると、サーバ１２００は、通信部１２０２、格納部１２０４、及び制御部１２０６を含む。サーバ１２００は、ネットワーク上で他の装置にサービスを提供するためにデータを格納し処理する役割を遂行し、例えば小売店内の管理サーバ又はサービスプロバイダの売場内のサーバと、サービスプロバイダのクラウドサーバを含むことができる。
【０１３０】
制御部１２０６は、サーバ１２００の全般的な動作を制御し、特にユーザー端末から受信した動線情報に基づいて新規動線を生成する動作、新規動線上の情報とユーザー情報をマッチングする動作などを実行する。その他に、制御部１２０６は、本発明の一実施形態による新規動線推薦技術に関連した全般的な動作を実行するように制御する。ここで、新規動線推薦技術に関連した全般的な動作について、図１乃至図６、図８及び図９の説明と同様なので、ここではその詳細な説明を省略する。
【０１３１】
通信部１２０２は、制御部１２０６の制御下で、ユーザー端末との通信に必要な各種情報などを送受信する。特に、通信部１２０２は、ユーザー端末から送信される動線情報を受信し、制御部１２０６により生成された新規動線情報を送信する。ここで、通信部１２０２が送受信する各種情報などは図１乃至図６、図８及び図９で説明したことと同様なので、ここではその詳細な説明を省略する。
【０１３２】
格納部１２０４は、サーバ１２００のすべての情報を格納し、特にユーザー端末から受信されたビーコン認識情報(ビーコンＩＤ等)、ビーコンＩＤ別商品情報、商品別クーポン情報、及びプロモーション情報などを格納する。
【０１３３】
上記した本発明による実施形態は、コンピュータ読み取り可能な記録媒体に対するコンピュータ読み取り可能なコードとして実施されることができる。このコンピュータ読み取り可能な記録媒体は、コンピュータシステムによって読み取り可能なデータを格納するデータストレージデバイスとなり得る。コンピュータ読み取り可能な記録媒体の例としては、ＲＯＭ(Ｒｅａｄ-Ｏｎｌｙ  Ｍｅｍｏｒｙ)、ＲＡＭ(Ｒａｎｄｏｍ-Ａｃｃｅｓｓ  Ｍｅｍｏｒｙ)、ＣＤ-ＲＯＭ、磁気テープ、フロッピーディスク、光データ格納装置、及び搬送波(有線及び／又は無線伝送経路を介してインターネットを経由するデータ伝送のような)を含むが、これに限定されることではない。また、このコンピュータ読み取り可能な記録媒体は、ネットワーク接続されたコンピュータシステムにわたって分散されることによって、コンピュータ読み取り可能なコードは分散形態で格納及び遂行される。また、本発明を達成するための機能的プログラム、コード、及びコードセグメントは、当該技術分野における熟練されたプログラマにとっては容易に理解できることである。
【０１３４】
本発明の実施形態によるトポロジ処理方法は、ハードウェア、ソフトウェア、又はそれらの組合せの形態で実現可能であることがわかる。このようなソフトウェアは、例えば、削除可能/再書き込みの可能可否に関係なく、ＲＯＭ等の格納装置のような揮発性又は非揮発性格納装置、又は例えばＲＡＭ、メモリチップ、装置又は集積回路のようなメモリ、又は例えばＣＤ、ＤＶＤ、磁気ディスク又は磁気テープのような光学又は磁気的に記録可能な機械(例えば、コンピュータ)-読み取り可能な格納媒体に格納することができる。本発明の一実施形態による方法は、制御部及びメモリを含むコンピュータ又は携帯端末により実現さる。このメモリは、本発明の実施形態を実現するための命令を含むプログラム又はプログラムを格納するのに適合した機械読み取り可能な格納媒体の一例であり得る。
【０１３５】
したがって、本発明は、本請求項により定められた装置及び方法を実現するための符号を含むプログラム、及びこのようなプログラムを格納する機械(例えば、コンピュータ)読み取り可能な格納媒体を含む。このプログラムは、有線/無線接続を通じて伝送される通信信号のような媒体を介して電気的に伝送でき、これに均等なものと共に本発明に含まれる。
【０１３６】
また、本発明の一実施形態による装置は、有線又は無線で接続されるプログラム提供装置からプログラムを受信して格納することができる。プログラム提供装置は、プログラム処理装置が予め設定されたコンテンツ保護方法を実行するようにする指示を含むプログラム、コンテンツ保護方法に必要なデータなどを格納するためのメモリ、グラフィック処理装置との有線又は無線通信を実行するための通信部、及びグラフィック処理装置の要請又は自動で該当プログラムを送受信装置に伝送する制御部を含むことができる。
【０１３７】
以上、本発明の詳細な説明においては具体的な実施形態に関して説明したが、特許請求の範囲を逸脱しない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０１３８】
１０２、１０４、１０６、１０８、１１０、１１２、１１４  売場
【手続補正２】
【補正対象書類名】特許請求の範囲
【補正対象項目名】全文
【補正方法】変更
【補正の内容】
【特許請求の範囲】
【請求項１】
端末により新規動線情報を受信する方法であって、
前記端末の移動経路に基づいて以前動線情報を生成するステップと、
前記生成された以前動線情報をサーバに送信するステップと、
前記送信された以前動線情報に基づいて生成された前記新規動線情報を前記サーバから受信するステップと、
を有することを特徴とする方法。
【請求項２】
前記以前動線情報を生成するステップは、
前記端末の移動経路内に設置される少なくとも一つの信号発生器から少なくとも一つの無線通信信号を受信するステップと、
前記受信された少なくとも一つの無線通信信号の各々から識別子(ＩＤ)を抽出し、前記抽出した各ＩＤと前記抽出した各ＩＤに対応する無線通信信号を受信した時間情報に基づいて前記以前動線情報を生成するステップと、
を有することを特徴とする請求項１に記載の方法。
【請求項３】
前記以前動線情報を生成するステップは、
前記端末の移動経路内に設置された少なくとも一つの信号発生器から少なくとも一つの無線通信信号を受信するステップと、
前記受信された少なくとも一つの無線通信信号の各々からＩＤを抽出し、前記抽出された各ＩＤが予め格納されたカテゴリ情報に対応するＩＤであるか否かを判定するステップと、
前記抽出された各ＩＤが前記予め格納されたカテゴリ情報に対応するＩＤである場合、前記抽出された各ＩＤと前記抽出された各ＩＤに対応する無線通信信号を受信した時間情報に基づいて前記以前動線情報を生成するステップと、
を有することを特徴とする請求項１に記載の方法。
【請求項４】
前記以前動線情報を生成するステップは、
前記端末の移動経路内に設置された少なくとも一つの信号発生器から少なくとも一つの無線通信信号を受信するステップと、
前記受信された少なくとも一つの無線通信信号の受信信号強度を測定するステップと、
前記測定された受信信号強度が予め設定された受信信号強度以上である無線通信信号のＩＤを抽出するステップと、
前記抽出されたＩＤと前記抽出されたＩＤに対応する無線通信信号を受信した時間情報に基づいて前記以前動線情報を生成するステップと、
を有することを特徴とする請求項１に記載の方法。
【請求項５】
前記以前動線情報として前記端末のユーザーに関連した情報を前記サーバに伝送するステップをさらに有し、
前記ユーザーに関連した情報は、前記ユーザーの移動経路情報、前記ユーザーの各領域での滞在時間情報、前記ユーザーの識別情報、個人情報、権限情報、及び前記各領域と関連した履歴情報のうち少なくとも一つを含むことを特徴とする請求項１乃至４のいずれか一項に記載の方法。
【請求項６】
サーバにより新規動線情報を送信する方法であって、
端末から前記端末の移動経路に基づいて生成された以前動線情報を受信するステップと、
前記受信された以前動線情報に基づいて前記新規動線情報を生成するステップと、
前記生成された新規動線情報を前記端末に送信するステップと、
を有することを特徴とする方法。
【請求項７】
前記以前動線情報は、前記端末により、前記端末の移動経路内に設置された少なくとも一つの信号発生器から受信した少なくとも一つの無線通信信号の各々から抽出された識別子(ＩＤ)と、前記抽出された各ＩＤに対応する無線通信信号を受信した時間情報を含むことを特徴とする請求項６に記載の方法。
【請求項８】
前記抽出された各ＩＤは前記端末により決定された予め格納されたカテゴリ情報に対応することを特徴とする請求項７に記載の方法。
【請求項９】
前記抽出された各ＩＤは、前記端末により測定された受信信号強度が予め設定された受信信号強度以上である無線通信信号のＩＤであることを特徴とする請求項７に記載の方法。
【請求項１０】
前記新規動線情報を生成するステップは、
前記受信した以前動線情報に基づき、前記端末の移動経路と前記端末の移動経路に含まれる各領域での滞在時間を検出するステップと、
前記検出された端末の移動経路と各領域での滞在時間に基づき、前記端末が訪問しない領域のうち追加訪問する領域を含む新規動線情報を生成するステップと、
を有することを特徴とする請求項６乃至９のいずれか一項に記載の方法。
【請求項１１】
前記端末から前記以前動線情報として前記端末のユーザーに関連した情報を受信するステップをさらに有し、
前記ユーザーに関連した情報は、前記ユーザーの移動経路情報、前記ユーザーの各領域での滞在時間情報、前記ユーザーの識別情報、個人情報、権限情報、及び前記各領域に関連した履歴情報のうち少なくとも一つを含むことを特徴とする請求項６乃至１０のいずれか一項に記載の方法。
【請求項１２】
端末であって、
端末の移動経路に基づいて以前動線情報を生成する制御部と、
前記生成された以前動線情報をサーバに送信する送信部と、
前記送信された以前動線情報に基づいて生成された新規動線情報を前記サーバから受信する受信部と、
を含むことを特徴とする端末。
【請求項１３】
以前動線情報に基づいて生成された新規動線情報を受信する端末であって、請求項２乃至５のいずれか１項に記載の方法を実行することを特徴とする端末。
【請求項１４】
サーバであって、
端末から前記端末の移動経路に基づいて生成された以前動線情報を受信する受信部と、
前記受信された以前動線情報に基づいて新規動線情報を生成する制御部と、
前記生成された新規動線情報を前記端末に送信する送信部と、
を含むことを特徴とするサーバ。
【請求項１５】
以前動線情報に基づいて生成された新規動線情報を送信するサーバであって、請求項７乃至１１のいずれか１項に記載の方法を実行することを特徴とするサーバ。
【国際調査報告】
2019503134.tif 000015
2019503134.tif 000016
2019503134.tif 000017
2019503134.tif 000018